(57)【特許請求の範囲】
【請求項１】
端末が、無線通信システムにおけるＦＤＲ（Full-Duplex Radio）動作を遂行するための方法であって、
前記ＦＤＲ動作を遂行することができる能力があるかを示すＦＤＲ能力情報を基地局に送信するステップと、
ＩＤＩ（Inter-Device-Interference）測定設定情報を前記基地局から受信するステップと、
ＦＤＲ準備モードに進入するか否かを決定するステップと、
前記ＦＤＲ準備モードに進入することが決定されたとき、前記受信されたＩＤＩ測定設定情報に基づいてＩＤＩ測定を遂行するステップと、
前記ＩＤＩ測定の結果を前記基地局に報告するステップと、
前記端末が前記ＦＤＲ動作と関連したグループに含まれることを知らせる制御メッセージを前記基地局から受信するステップと、
前記制御メッセージに応答して、前記ＦＤＲ準備モードからＦＤＲモードに遷移するステップと、を含み、
前記ＦＤＲ能力情報は、同一の無線資源を用いて送信及び受信動作を同時に遂行することができるＦＤＲモードをサポートするか否かを示す指示情報を含む、方法。
【請求項２】
前記基地局は、前記ＦＤＲモードで前記ＦＤＲ動作を遂行するＦＤＲホストであり、
前記端末は、前記ＦＤＲホストを助けるＦＤＲメンバーである、請求項１に記載の方法。
【請求項３】
前記ＦＤＲ能力情報は、
前記グループに参加して前記ＦＤＲメンバーとして動作可能か否かを示すＦＤＲアシスト指示情報、
前記ＦＤＲモードで動作方法を示す情報、または
ＦＤＲグルーピング方法と関連した情報
のうち、少なくとも１つを含む、請求項２に記載の方法。
【請求項４】
前記制御メッセージは、ＦＤＲグルーピングと関連した情報をさらに含む、請求項１に記載の方法。
【請求項５】
前記基地局の前記ＦＤＲ能力情報を含むシステム情報を前記基地局から受信するステップであって、
前記端末の前記ＦＤＲ能力情報は、ＲＲＣ（Radio Resource Control）接続確立手続を通じて送信される、ステップをさらに含む、請求項１に記載の方法。
【請求項６】
前記基地局の前記ＦＤＲ能力情報を含むシステム情報を前記基地局から受信するステップであって、
前記端末の前記ＦＤＲ能力情報は、端末能力折衝手続を通じて送信される、ステップをさらに含む、請求項１に記載の方法。
【請求項７】
前記端末の前記ＦＤＲ能力情報は、ＲＲＣ接続要求メッセージまたはＲＲＣ接続セットアップ完了メッセージに含まれる、請求項５に記載の方法。
【請求項８】
前記端末の前記ＦＤＲ能力情報は、端末能力情報に含まれる、請求項７に記載の方法。
【請求項９】
前記端末が、前記ＦＤＲ動作を遂行する要求に対する応答を受信する場合、前記グループの前記情報を受信することと関連したＦＤＲグルーピングタイマーを駆動するステップと、
前記ＦＤＲグルーピングタイマーの終了条件を満たす場合、前記ＦＤＲグルーピングタイマーを終了するステップと、
をさらに含む、請求項１に記載の方法。
【請求項１０】
前記ＦＤＲグルーピングタイマーの前記終了条件は、前記グループの前記情報の受信、前記ＦＤＲグルーピングタイマーの満了またはＲＲＣ（Radio Resource Control）関連タイマーの満了であり、
前記ＦＤＲ動作を遂行する要求のためのメッセージを送信する場合、前記端末は、前記ＲＲＣ関連タイマーを駆動する、請求項９に記載の方法。
【発明の詳細な説明】
【技術分野】
【０００１】
本明細書は、全二重通信（Full Duplex Radio：ＦＤＲ）をサポートする無線通信システムにおけるＦＤＲ動作をサポートするための方法及び装置に関する。
【背景技術】
【０００２】
ＵＭＴＳ（Universal Mobile Telecommunications System）の向上である３ＧＰＰ（3rd Generation Partnership Project）ＬＴＥ（long term evolution）は、３ＧＰＰリリース（release）８として紹介されている。３ＧＰＰ ＬＴＥはダウンリンクでＯＦＤＭＡ（orthogonal frequency division multiple access）を使用し、アップリンクでＳＣ−ＦＤＭＡ（Single Carrier-frequency division multiple access）を使用する。最大４個のアンテナを有するＭＩＭＯ（multiple input multiple output）を採用する。最近には３ＧＰＰ ＬＴＥの進化である３ＧＰＰ ＬＴＥ−Ａ（LTE-Advanced）に対する議論が進行中である。
【０００３】
ＦＤＲをサポートする無線通信システムにおいて、ＦＤＲ能力（または、可能）端末のＦＤＲ動作を効果的に遂行する、即ち端末間干渉（Inter-Device-Interference：ＩＤＩ）を緩和するための方法に端末グルーピング（grouping）を使用する。
【０００４】
端末グルーピングはＩＤＩ測定を通じて基地局により遂行されるように定義されており、ＦＤＲ能力端末は基地局の指示に従って周辺端末の干渉を測定し、これを基地局に報告する。
【発明の概要】
【発明が解決しようとする課題】
【０００５】
ＦＤＲシステムで端末グルーピングをより効果的に遂行するために、基地局はＦＤＲ能力端末のみに周辺端末の干渉を測定するように指示する必要がある。
【０００６】
しかしながら、基地局がどの端末がＦＤＲ能力端末かを知ることができる方法が現在は定義されていない。
【０００７】
それだけでなく、ＦＤＲ能力端末といっても、必要によってＦＤＲ動作を遂行するか、またはＦＤＲ動作を遂行しないようにするための具体的な方法が定義されていない。
【０００８】
即ち、端末グルーピングをいつ始めて、いつ端末を該当グループから除外させなければならないかに対する具体的な方法が定義されていない。
【０００９】
したがって、本明細書はＦＤＲシステムにおけるＦＤＲグルーピングを効果的に遂行するために、ＦＤＲ動作と関連した能力情報を交換する方法を提供することをその目的とする。
【００１０】
また、本明細書はＦＤＲ動作を遂行するための具体的なＦＤＲ動作プロシージャ及び多様なＦＤＲ動作モードを定義することをその目的とする。
【００１１】
本明細書で達成しようとする技術的課題は、以上で言及した技術的課題に制限されず、言及しない更に他の技術的課題は以下の記載から本発明が属する技術分野で通常の知識を有する者に明確に理解されるべきである。
【課題を解決するための手段】
【００１２】
本明細書は、ＦＤＲ（Full-Duplex Radio）をサポートする無線通信システムにおけるＦＤＲ動作を遂行するための方法において、端末と基地局との間、ＦＤＲ動作を遂行することができる能力があるかを示すＦＤＲ能力（capability）情報を互いに交換するステップと、前記端末で、ＩＤＩ（Inter-Device-Interference）測定設定（measurement configuration）情報を前記基地局から受信するステップと、前記端末で、前記受信されたＩＤＩ測定設定情報に基づいてＩＤＩ測定を遂行するステップと、前記端末で、前記ＩＤＩ測定の結果を前記基地局に報告（reporting）するステップと、前記端末で、ＦＤＲ動作と関連したグループに含まれることを知らせる制御メッセージを前記基地局から受信するステップとを含み、前記ＦＤＲ能力情報は同一の無線資源を用いて送信及び受信動作を同時に遂行することができるＦＤＲモードをサポートするか否かを示す指示情報を含むことを特徴とする。
【００１３】
また、本明細書で前記基地局は前記ＦＤＲモードでＦＤＲ動作を遂行するＦＤＲホストであり、前記端末は前記ＦＤＲホストを助けるＦＤＲメンバーであることを特徴とする。
【００１４】
また、本明細書は前記端末が前記ＩＤＩ測定設定情報を受信する場合、前記端末はＦＤＲ準備モード（preparation mode）に進入（enter）するステップと、及び前記端末が前記制御メッセージを受信する場合、前記端末は前記ＦＤＲ準備モードを終了し、ＦＤＲメンバーモードに進入するステップとをさらに含む。
【００１５】
また、本明細書で前記ＦＤＲ能力情報は、前記グループに参加して前記ＦＤＲメンバーとして動作可能か否かを示すＦＤ（Full-Duplex）アシスト（assist）指示情報、ＦＤＲモードで動作方法を示す情報、またはＦＤＲグルーピング方法と関連した情報のうち、少なくともいずれか１つを含むことを特徴とする。
【００１６】
また、本明細書で前記制御メッセージは、ＦＤＲグルーピング（grouping）と関連した情報をさらに含むことを特徴とする。
【００１７】
また、本明細書で前記ＦＤＲ能力情報を交換するステップは、前記端末で、前記基地局のＦＤＲ能力情報を含むシステム情報を前記基地局から受信するステップと、前記端末で、前記端末のＦＤＲ能力情報をＲＲＣ（Radio Resource Control）接続確立手続を通じて前記基地局に転送するステップを含む。
【００１８】
また、本明細書で前記ＦＤＲ能力情報を交換するステップは、前記端末で、前記基地局のＦＤＲ能力情報を含むシステム情報を前記基地局から受信するステップと、前記端末で、前記端末のＦＤＲ能力情報を端末能力折衝手続を通じて前記基地局に転送するステップとを含む。
【００１９】
また、本明細書で前記端末のＦＤＲ能力情報は、ＲＲＣ接続要求（RRC connection request）メッセージまたはＲＲＣ接続セットアップ完了（connection setup complete）メッセージに含まれることを特徴とする。
【００２０】
また、本明細書で前記端末のＦＤＲ能力情報は、端末能力情報（UE capability information）に含まれることを特徴とする。
【００２１】
また、本明細書はＦＤＲ（Full-Duplex Radio）をサポートする無線通信システムにおけるＦＤＲ動作を遂行するための方法において、ＦＤＲ動作を遂行することができる能力があるかを示すＦＤＲ能力（capability）情報を交換するステップと、端末１から基地局に、ＦＤＲ動作遂行の要求のための第１メッセージを転送するステップと、前記基地局から前記端末１に、前記第１メッセージに対する応答として第２メッセージを転送するステップと、前記基地局から端末２に、ＩＤＩ（Inter-Device-Interference）測定設定（measurement configuration）情報を転送するステップと、前記端末２から前記基地局に、ＩＤＩ測定結果を報告（reporting）するステップと、前記基地局から前記端末１に、ＦＤＲ動作と関連したグループの情報を転送するステップと、前記端末１から前記基地局に、前記グループの情報に対する応答として第３メッセージを転送するステップと、前記基地局から前記端末２に、前記グループに含まれることを知らせる第４メッセージを転送するステップと、を含むことを特徴とする。
【００２２】
また、本明細書で前記端末１はＦＤＲモードでＦＤＲ動作を遂行するＦＤＲホストであり、前記基地局及び前記端末２は前記ＦＤＲホストを助けるＦＤＲメンバーであることを特徴とする。
【００２３】
また、本明細書は前記端末１が前記第２メッセージを受信する場合、前記端末１はＦＤＲ準備モードに進入するステップと、前記端末１が前記グループの情報を受信するか、または前記第３メッセージを転送する場合、前記端末１は前記ＦＤＲ準備モードを終了し、ＦＤＲモードに進入するステップをさらに含むことを特徴とする。
【００２４】
また、本明細書は前記端末１が前記第２メッセージを受信する場合、前記端末１は前記グループの情報受信と関連したＦＤＲグルーピングタイマー（grouping timer）を駆動するステップと、前記ＦＤＲグルーピングタイマーの終了条件を満たす場合、前記端末１は前記ＦＤ（Full-Duplex）グルーピングタイマーを終了するステップと、をさらに含むことを特徴とする。
【００２５】
また、本明細書で前記ＦＤＲグルーピングタイマーの終了条件は、前記グループの情報を受信、前記ＦＤＲグルーピングタイマーの満了（expire）またはＲＲＣ関連タイマーの満了であり、前記第１メッセージを転送する場合、前記端末１は前記ＲＲＣ関連タイマーを駆動することを特徴とする。
【００２６】
また、本明細書は前記第４メッセージを受信する場合、前記端末２はＦＤＲメンバーモードに進入するステップをさらに含むことを特徴とする。
【００２７】
また、本明細書で前記ＦＤＲ能力情報を交換するステップは、前記端末１と前記基地局との間の互いのＦＤＲ能力情報を交換するステップと、前記端末１と前記端末２との間の互いのＦＤＲ能力情報を交換するステップと、前記基地局と前記端末２との間の互いのＦＤＲ能力情報を交換するステップと、を含むことを特徴とする。
【００２８】
また、本明細書で前記端末１と前記基地局との間の互いのＦＤＲ能力情報を交換するステップは、前記基地局から前記端末１に、前記基地局のＦＤＲ能力情報を含むシステム情報を転送するステップと、前記端末１で、前記端末１のＦＤＲ能力情報をＲＲＣ接続確立手続または端末能力折衝手続を通じて前記基地局に転送するステップと、を含むことを特徴とする。
【００２９】
また、本明細書で前記端末１と前記端末２との間の互いのＦＤＲ能力情報を交換するステップは、Ｄ２Ｄ（Device-to-Device）発見（discovery）過程またはＤ２Ｄ通信（communication）過程を通じて交換されることを特徴とする。
【００３０】
また、本明細書で前記端末２は前記ＦＤＲメンバーモードで前記グループ内の端末に対してはしきい値より短い周期でＩＤＩを測定し、前記グループ外の端末に対しては前記しきい値より長い周期でＩＤＩを測定することを特徴とする。
【００３１】
また、本明細書は前記端末２で、前記受信されたＩＤＩ測定設定情報に基づいてＩＤＩ測定を遂行するステップをさらに含むことを特徴とする。
【００３２】
また、本明細書で前記第１メッセージはＦＤＲグルーピング要求（grouping request）メッセージであり、前記第２メッセージはＦＤＲグルーピング応答（grouping response）メッセージであり、前記第３メッセージはＦＤＲグループ確認（FD group confirm）メッセージであり、前記第４メッセージはＦＤＲモード遷移命令（FDR mode transition command）メッセージであることを特徴とする。
【発明の効果】
【００３３】
本明細書はＦＤＲ関連能力情報を交換する手続を新しく定義することによって、基地局はＦＤＲ能力がある端末に対してのみＩＤＩ測定を遂行するように指示してＦＤＲグルーピングを効率良く遂行することができる効果がある。
【００３４】
即ち、ＦＤＲ能力がない端末が不要に周辺端末との干渉を測定して、これを基地局に報告しないようにすることができる。
【００３５】
また、本明細書はＦＤＲシステムにおけるＦＤＲ動作と関連した具体的な方法を新しく定義することによって、端末間干渉を最小化し、効果的に端末をグルーピングできるようにする。
【００３６】
本明細書で得られる効果は以上で言及した効果に制限されず、言及しない更に他の効果は以下の記載から本発明が属する技術分野で通常の知識を有する者に明確に理解されるべきである。
【図面の簡単な説明】
【００３７】
【図１】本発明が適用される無線通信システムを示す。
【図２】（ａ）は制御プレーン（control plane）に対する無線プロトコル構造の一例を示し、（ｂ）はユーザプレーン（user plane）に対する無線プロトコル構造の一例を示す。
【図３】３ＧＰＰ ＬＴＥ−Ａの無線フレーム構造の一例を示す。
【図４】１つのダウンリンクスロットに対する資源グリッド（resource grid）の一例を示す図である。
【図５】ダウンリンクサブフレーム構造の一例を示す図である。
【図６】アップリンクサブフレーム構造の一例を示す図である。
【図７】本発明が適用できるＲＲＣ接続を確立する過程を示す流れ図である。
【図８】本発明が適用できる測定遂行方法の一例を示す流れ図である。
【図９】端末能力折衝手続の一例を示す流れ図である。
【図１０】全二重通信（ＦＤＲ）システムの一例を示す概念図である。
【図１１】ＦＤＲシステムで発生する端末間干渉（ＩＤＩ）の一例を示す概念図である。
【図１２】端末グルーピング方法の一例を示す流れ図である。
【図１３】本明細書で提案するＦＤＲシナリオの一例を示す概念図である。
【図１４】本明細書で提案するＦＤＲシナリオの更に他の一例を示す図である。
【図１５】本明細書で提案するＦＤＲシナリオの更に他の一例を示す図である。
【図１６】本明細書で提案する初期接続手続を通じてＦＤＲ関連能力情報を交換する方法の一例を示す図である。
【図１７】本明細書で提案する端末能力折衝手続を通じてＦＤＲ関連能力情報を交換する方法の一例を示す図である。
【図１８】本明細書で提案するＦＤＲ関連能力情報を交換する方法の更に他の一例を示す図である。
【図１９】本明細書で提案するＤ２Ｄ端末間にＦＤＲ関連能力情報を交換する方法の一例を示す図である。
【図２０】本明細書で提案するＦＤＲ動作方法の一例を示すフローチャートである。
【図２１】本明細書で提案するＦＤＲシナリオでＦＤＲ準備モード（preparation mode）でのＦＤＲ動作の一例を示す図である。
【図２２】本明細書で提案するＦＤＲシナリオでＦＤＲ準備モード（preparation mode）でのＦＤＲ動作の更に他の一例を示す図である。
【図２３】本明細書で提案するＦＤＲ動作方法の更に他の一例を示す流れ図である。
【図２４】本明細書で提案するＦＤＲ動作方法の更に他の一例を示す流れ図である。
【図２５】本明細書で提案する基地局及び端末の内部ブロック図の一例を示す図である。
【発明を実施するための形態】
【００３８】
以下、本発明に従う好ましい実施形態を添付の図面を参照して詳細に説明する。添付の図面と共に以下に開示される詳細な説明は本発明の例示的な実施形態を説明しようとするものであり、本発明が実施できる唯一の実施形態を示そうとするものでない。以下の詳細な説明は本発明の完全な理解を提供するために具体的な細部事項を含む。しかしながら、当業者は本発明がこのような具体的な細部事項無しでも実施できることが分かる。
【００３９】
幾つかの場合、本発明の概念が曖昧になることを避けるために公知の構造及び装置は省略されるか、または各構造及び装置の核心機能を中心にしたブロック図形式に図示できる。
【００４０】
本明細書において、基地局は端末と直接的に通信を遂行するネットワークの終端ノード（terminal node）としての意味を有する。本文書で基地局により遂行されると説明された特定の動作は、場合によっては基地局の上位ノード（upper node）により遂行されることもできる。即ち、基地局を含む多数のネットワークノード（network nodes）からなるネットワークで端末との通信のために遂行される多様な動作は基地局または基地局以外の他のネットワークノードにより遂行できることは自明である。‘基地局（ＢＳ：Base Station）’は固定局（fixed station）、ＮｏｄｅＢ、ｅＮＢ（evolved-NodeB）、ＢＴＳ（base transceiver system）、アクセスポイント（ＡＰ：Access Point）、ＦＤＲ（Full Duplex Radio）基地局、ＦＤＲ（無線）装置などの用語に代替できる。また、‘端末（Terminal）’は固定されるか、または移動性を有することができ、ＵＥ（User Equipment）、ＭＳ（Mobile Station）、ＵＴ（user terminal）、ＭＳＳ（Mobile Subscriber Station）、ＳＳ（Subscriber Station）、ＡＭＳ（Advanced Mobile Station）、ＷＴ（Wireless terminal）、ＭＴＣ（Machine-Type Communication）装置、Ｍ２Ｍ（Machine-to-Machine）装置、Ｄ２Ｄ（Device-to-Device）装置、ＦＤＲ端末、ＦＤＲ（無線）装置などの用語に代替できる。
【００４１】
以下、ダウンリンク（ＤＬ：downlink）は基地局から端末への通信を意味し、アップリンク（ＵＬ：uplink）は端末から基地局への通信を意味する。ダウンリンクで送信機は基地局の一部で、受信機は端末の一部でありうる。アップリンクで送信機は端末の一部で、受信機は基地局の一部でありうる。
【００４２】
以下の説明で使われる特定用語は本発明の理解を助けるために提供されたものであり、このような特定用語の使用は本発明の技術的思想を外れない範囲で他の形態に変更できる。
【００４３】
以下の技術はＣＤＭＡ（code division multiple access）、ＦＤＭＡ（frequency division multiple access）、ＴＤＭＡ（time division multiple access）、ＯＦＤＭＡ（orthogonal frequency division multiple access）、ＳＣ−ＦＤＭＡ（single carrier frequency division multiple access）、ＮＯＭＡ（non-orthogonal multiple access）などの多様な無線接続システムに利用できる。ＣＤＭＡは、ＵＴＲＡ（universal terrestrial radio access）やＣＤＭＡ２０００のような無線技術（radio technology）で実現できる。ＴＤＭＡは、ＧＳＭ（global system for mobile communications）／ＧＰＲＳ（general packet radio service）／ＥＤＧＥ（enhanced data rates for GSM evolution）のような無線技術で実現できる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（evolved UTRA）などの無線技術で実現できる。ＵＴＲＡは、ＵＭＴＳ（universal mobile telecommunications system）の一部である。３ＧＰＰ（3rd generation partnership project）ＬＴＥ（long term evolution）はＥ−ＵＴＲＡを使用するＥ−ＵＭＴＳ（evolved UMTS）の一部であって、ダウンリンクでＯＦＤＭＡを採用し、アップリンクでＳＣ−ＦＤＭＡを採用する。ＬＴＥ−Ａ（advanced）は３ＧＰＰ ＬＴＥの進化である。
【００４４】
本発明の実施形態は無線接続システムであるＩＥＥＥ ８０２、３ＧＰＰ及び３ＧＰＰ２のうち、少なくとも１つに開示された標準文書により裏付けられる。即ち、本発明の実施形態のうち、本発明の技術的思想を明確に示すために説明していないステップまたは部分は、前記文書により裏付けられる。また、本文書で開示している全ての用語は前記標準文書により説明できる。
【００４５】
図１は、本発明が適用できる無線通信システムを示す。
【００４６】
これはＥ−ＵＴＲＡＮ（Evolved-UMTS Terrestrial Radio Access Network）、またはＬＴＥ（Long Term Evolution）／ＬＴＥ−Ａシステムと称されることができる。
【００４７】
Ｅ−ＵＴＲＡＮは、端末１０（User Equipment：ＵＥ）に制御プレーン（control plane）とユーザプレーン（user plane）を提供する基地局２０（Base Station：ＢＳ）を含む。
【００４８】
基地局２０はＸ２インターフェースを介して互いに接続できる。基地局２０はＳ１インターフェースを介してＥＰＣ（Evolved Packet Core）、より詳しくはＳ１−ＭＭＥを通じてＭＭＥ（Mobility Management Entity）とＳ１−Ｕを通じてＳ−ＧＷ（Serving Gateway）と接続される。
【００４９】
ＥＰＣは、ＭＭＥ、Ｓ−ＧＷ、及びＰ−ＧＷ（Packet Data Network-Gateway）から構成される。ＭＭＥは端末の接続情報や端末の能力に関する情報を有しており、このような情報は端末の移動性管理に主に使われる。Ｓ−ＧＷはＥ−ＵＴＲＡＮを終端点として有するゲートウェイであり、Ｐ−ＧＷはＰＤＮを終端点として有するゲートウェイである。
【００５０】
端末とネットワークとの間の無線インターフェースプロトコル（Radio Interface Protocol）の階層は通信システムで広く知られた開放型システム間の相互接続（Open System Interconnection；ＯＳＩ）基準モデルの下位３個の層に基づいてＬ１（第１層）、Ｌ２（第２層）、Ｌ３（第３層）に区分できるが、そのうち、第１層に属する物理層は物理チャンネル（Physical Channel）を用いた情報転送サービス（Information Transfer Service）を提供し、第３層に位置するＲＲＣ（Radio Resource Control）層は端末とネットワークとの間に無線資源を制御する役割を遂行する。このためにＲＲＣ層は端末と基地局との間のＲＲＣメッセージを交換する。
【００５１】
図２（ａ）は本明細書の技術的特徴が適用できるユーザプレーン（user plane）に対する無線プロトコル構造（radio protocol architecture）の一例を示し、図２ｂは本明細書の技術的特徴が適用できる制御プレーン（control plane）に対する無線プロトコル構造の一例を示すブロック図である。
【００５２】
ユーザプレーンはユーザデータ転送のためのプロトコルスタック（protocol stack）で、制御プレーンは制御信号転送のためのプロトコルスタックである。
【００５３】
図２ａ及び２ｂを参照すると、物理層（PHY（physical）layer）は物理チャンネル（physical channel）を用いて上位層に情報転送サービス（information transfer service）を提供する。物理層は上位層であるＭＡＣ（Medium Access Control）層とは転送チャンネル（transport channel）を通じて接続されている。転送チャンネルを介してＭＡＣ層と物理層との間にデータが移動する。転送チャンネルは無線インターフェースを介してデータがどのように、どんな特徴で転送されるかによって分類される。
【００５４】
互いに異なる物理層間、即ち送信機と受信機の物理層間は物理チャンネルを介してデータが移動する。前記物理チャンネルはＯＦＤＭ（Orthogonal Frequency Division Multiplexing）方式により変調されることができ、時間と周波数を無線資源に活用する。
【００５５】
ＭＡＣ層の機能は論理チャンネルと転送チャンネルとの間のマッピング及び論理チャンネルに属するＭＡＣ ＳＤＵ（service data unit）の転送チャンネル上に物理チャンネルに提供される転送ブロック（transport block）への多重化／逆多重化（‘／’の意味は‘or’と‘and’の概念を全て含む）を含む。ＭＡＣ層は論理チャンネルを介してＲＬＣ（Radio Link Control）層にサービスを提供する。
【００５６】
ＲＬＣ層の機能はＲＬＣ ＳＤＵの連結（concatenation）、分割（segmentation）、及び再結合（reassembly）を含む。無線ベアラー（Radio Bearer；ＲＢ）が要求する多様なＱｏＳ（Quality of Service）を保証するために、ＲＬＣ層は透過モード（Transparent Mode；ＴＭ）、非確認モード（Unacknowledged Mode；ＵＭ）及び確認モード（Acknowledged Mode；ＡＭ）の３種類の動作モードを提供する。ＡＭ ＲＬＣはＡＲＱ（automatic repeat request）を通じて誤り訂正を提供する。
【００５７】
ＲＲＣ（Radio Resource Control）層は制御プレーンのみで定義される。ＲＲＣ層は無線ベアラーの設定（configuration）、再設定（re-configuration）、及び解放（release）と関連して、論理チャンネル、転送チャンネル、及び物理チャンネルの制御を担う。ＲＢは、端末とネットワークとの間のデータ伝達のために第１層（ＰＨＹ層）及び第２層（ＭＡＣ層、ＲＬＣ層、ＰＤＣＰ層）により提供される論理的経路を意味する。
【００５８】
ユーザプレーンでのＰＤＣＰ（Packet Data Convergence Protocol）層の機能は、ユーザデータの伝達、ヘッダー圧縮（header compression）、及び暗号化（ciphering）を含む。制御プレーンでのＰＤＣＰ（Packet Data Convergence Protocol）層の機能は制御プレーンデータの伝達及び暗号化／無欠性保護（integrity protection）を含む。
【００５９】
ＲＢが設定されるということは、特定サービスを提供するために無線プロトコル層及びチャンネルの特性を規定し、各々の具体的なパラメータ及び動作方法を設定する過程を意味する。また、ＲＢはさらにＳＲＢ（Signaling RB）とＤＲＢ（Data RB）の２つに分けられる。ＳＲＢは制御プレーンでＲＲＣメッセージを転送する通路として使われて、ＤＲＢはユーザプレーンでユーザデータを転送する通路として使われる。
【００６０】
端末のＲＲＣ層とＥ−ＵＴＲＡＮのＲＲＣ層との間にＲＲＣ接続（RRC Connection）が確立されれば、端末はＲＲＣ接続（RRC connected）状態にいるようになり、そうでない場合、ＲＲＣアイドル（RRC idle）状態にいるようになる。
【００６１】
ネットワークから端末にデータを転送するダウンリンク転送チャンネルには、システム情報を転送するＢＣＨ（Broadcast Channel）と、それ以外にユーザトラフィックや制御メッセージを転送するダウンリンクＳＣＨ（Shared Channel）がある。ダウンリンクマルチキャストまたはブロードキャストサービスのトラフィックまたは制御メッセージの場合、ダウンリンクＳＣＨを介して転送されることもでき、または別途のダウンリンクＭＣＨ（Multicast Channel）を介して転送されることもできる。一方、端末からネットワークにデータを転送するアップリンク転送チャンネルには、初期制御メッセージを転送するＲＡＣＨ（Random Access Channel）と、それ以外にユーザトラフィックや制御メッセージを転送するアップリンクＳＣＨ（Shared Channel）がある。
【００６２】
転送チャンネルの上位におり、転送チャンネルにマッピングされる論理チャンネル（Logical Channel）には、ＢＣＣＨ（Broadcast Control Channel）、ＰＣＣＨ（Paging Control Channel）、ＣＣＣＨ（Common Control Channel）、ＭＣＣＨ（Multicast Control Channel）、ＭＴＣＨ（Multicast Traffic Channel）などがある。
【００６３】
物理チャンネル（Physical Channel）は時間領域で多数個のＯＦＤＭシンボルと周波数領域で多数個の副搬送波（Sub-carrier）から構成される。１つのサブフレーム（Sub-frame）は時間領域で複数のＯＦＤＭシンボル（Symbol）から構成される。資源ブロックは資源割り当て単位で、複数のＯＦＤＭシンボルと複数の副搬送波（sub-carrier）から構成される。また、各サブフレームはＰＤＣＣＨ（Physical Downlink Control Channel）、即ちＬ１／Ｌ２制御チャンネルのために該当サブフレームの特定ＯＦＤＭシンボル（例：第１のＯＦＤＭシンボル）の特定副搬送波を用いることができる。ＴＴＩ（Transmission Time Interval）は、サブフレーム転送の単位時間である。
【００６４】
図３は、３ＧＰＰ ＬＴＥ−Ａにおける無線フレームの構造を示す。
【００６５】
セルラーＯＦＤＭ無線パケット通信システムにおいて、アップリンク／ダウンリンクデータパケット転送はサブフレーム（subframe）単位でなされて、１つのサブフレームは多数のＯＦＤＭシンボルを含む一定時間区間に定義される。３ＧＰＰ ＬＴＥ−Ａ標準ではＦＤＤ（Frequency Division Duplex）に適用可能なタイプ１の無線フレーム（radio frame）構造と、ＴＤＤ（Time Division Duplex）に適用可能なタイプ２の無線フレーム構造をサポートする。ＦＤＤ方式によれば、アップリンク転送とダウンリンク転送とが互いに異なる周波数帯域を占めながらなされる。ＴＤＤ方式によれば、アップリンク転送とダウンリンク転送が同一な周波数帯域を占めながら互いに異なる時間になされる。ＴＤＤ方式のチャンネル応答は、実質的に相互的（reciprocal）である。これは、与えられた周波数領域でダウンリンクチャンネル応答とアップリンクチャンネル応答とがほとんど同一であることを意味する。
【００６６】
したがって、ＴＤＤに基づいた無線通信システムにおけるダウンリンクチャンネル応答は、アップリンクチャンネル応答から得られることができる長所がある。ＴＤＤ方式は、全体周波数帯域をアップリンク転送とダウンリンク転送が時分割されるので、基地局によるダウンリンク転送と端末によるアップリンク転送が同時に遂行できない。アップリンク転送とダウンリンク転送がサブフレーム単位に区分されるＴＤＤシステムにおいて、アップリンク転送とダウンリンク転送とは互いに異なるサブフレームで遂行される。
【００６７】
図３ａは、タイプ１無線フレームの構造を例示する。ダウンリンク無線フレーム（radio frame）は１０個のサブフレーム（subframe）から構成され、１つのサブフレームは時間領域（time domain）で２つのスロット（slot）から構成される。１つのサブフレームの転送にかかる時間をＴＴＩ（transmission time interval）という。例えば、１つのサブフレームの長さは１ｍｓで、１つのスロットの長さは０．５ｍｓでありうる。１つのスロットは時間領域で複数のＯＦＤＭ（orthogonal frequency division multiplexing）シンボルを含み、周波数領域で多数の資源ブロック（ＲＢ：Resource Block）を含む。３ＧＰＰ ＬＴＥ−ＡはダウンリンクでＯＦＤＭＡを使用するので、ＯＦＤＭシンボルは１つのシンボル区間（symbol period）を表現するためのものである。ＯＦＤＭシンボルは１つのＳＣ−ＦＤＭＡシンボルまたはシンボル区間ということができる。資源割り当て単位としての資源ブロックは、１つのスロットで複数の連続的な副搬送波（subcarrier）を含む。
【００６８】
１つのスロットに含まれるＯＦＤＭシンボルの数はサイクリックプレフィックス（ＣＰ：Cyclic Prefix。循環前置）の構成（configuration）によって変わることがある。ＣＰには拡張サイクリックプレフィックス（extended CP）と一般サイクリックプレフィックス（normal CP）がある。例えば、ＯＦＤＭシンボルが一般サイクリックプレフィックスにより構成された場合、１つのスロットに含まれるＯＦＤＭシンボルの数は７個でありうる。ＯＦＤＭシンボルが拡張サイクリックプレフィックスにより構成された場合、１つのＯＦＤＭシンボルの長さが増えるので、１つのスロットに含まれるＯＦＤＭシンボルの数は一般サイクリックプレフィックスの場合より少ない。拡張サイクリックプレフィックスの場合に、例えば１つのスロットに含まれるＯＦＤＭシンボルの数は６個でありうる。端末が速い速度で移動するなどの場合のように、チャンネル状態が不安定な場合、シンボル間の干渉をより減らすために拡張サイクリックプレフィックスが使用できる。
【００６９】
一般サイクリックプレフィックスが使われる場合、１つのスロットは７個のＯＦＤＭシンボルを含むので、１つのサブフレームは１４個のＯＦＤＭシンボルを含む。この際、各サブフレームの最初の最大３個のＯＦＤＭシンボルはＰＤＣＣＨ（physical downlink control channel）に割り当てられ、残りのＯＦＤＭシンボルはＰＤＳＣＨ（physical downlink shared channel）に割り当てられる。
【００７０】
図３ｂは、タイプ２フレーム構造（frame structure type 2）を示す。タイプ２無線フレームは２つのハーフフレーム（half frame）から構成され、各ハーフフレームは５個のサブフレームから構成され、１つのサブフレームは２つのスロットから構成される。５個のサブフレームのうち、特に、スペシャルサブフレーム（special subframe）はＤｗＰＴＳ（Downlink Pilot Time Slot）、保護区間（ＧＰ：Guard Period）、及びＵｐＰＴＳ（Uplink Pilot Time Slot）から構成される。ＤｗＰＴＳは、端末での初期セル探索、同期化、またはチャンネル推定に使われる。ＵｐＰＴＳは、基地局でのチャンネル推定と端末のアップリンク転送同期を合せることに使われる。保護区間は、アップリンクとダウンリンクとの間にダウンリンク信号の多重経路遅延によってアップリンクで生じる干渉を除去するための区間である。
【００７１】
前述した無線フレームの構造は１つの例示に過ぎず、無線フレームに含まれるサブフレームの数またはサブフレームに含まれるスロットの数、スロットに含まれるシンボルの数は多様に変更できる。
【００７２】
図４は、１つのダウンリンクスロットに対する資源グリッド（resource grid）を例示した図である。
【００７３】
図４を参照すると、１つのダウンリンクスロットは時間領域で複数のＯＦＤＭシンボルを含む。ここで、１つのダウンリンクスロットは７個のＯＦＤＭシンボルを含み、１つの資源ブロックは周波数領域で１２個の副搬送波を含むことを例示的に記述するが、これに限定されるものではない。
【００７４】
資源グリッド上で各要素（element）を資源要素（ＲＥ：resource element）とし、１つの資源ブロックは１２×７個の資源要素を含む。資源グリッド上の資源要素はスロット内のインデックス対（pair）（ｋ、ｌ）により識別できる。ここで、ｋ（ｋ＝０，．．．，ＮＲＢ×１２−１）は周波数領域内の副搬送波インデックスであり、ｌ（ｌ＝０，．．．，６）は時間領域内のＯＦＤＭシンボルインデックスである。ダウンリンクスロットに含まれる資源ブロックの数（ＮＲＢ）はダウンリンク転送帯域幅（bandwidth）に従属する。アップリンクスロットの構造はダウンリンクスロットの構造と同一でありうる。
【００７５】
図５は、ダウンリンクサブフレームの構造を示す。
【００７６】
図５を参照すると、サブフレーム内の第１のスロットで以前の最大３個のＯＦＤＭシンボルが制御チャンネルが割り当てられる制御領域（control region）であり、残りのＯＦＤＭシンボルはＰＤＳＣＨが割り当てられるデータ領域（data region）である。３ＧＰＰ ＬＴＥ−Ａで使われるダウンリンク制御チャンネルの一例に、ＰＣＦＩＣＨ、ＰＤＣＣＨ、ＰＨＩＣＨなどがある。
【００７７】
ＰＣＦＩＣＨはサブフレームの第１のＯＦＤＭシンボルで転送され、サブフレーム内に制御チャンネルの転送のために使われるＯＦＤＭシンボルの数（即ち、制御領域のサイズ）に関する情報を運ぶ。ＰＨＩＣＨはアップリンクに対する応答チャンネルであり、ＨＡＲＱに対するＡＣＫ／ＮＡＣＫ信号を運ぶ。ＰＤＣＣＨを介して転送される制御情報をダウンリンク制御情報（ＤＣＩ：downlink control information）という。ダウンリンク制御情報は、アップリンク資源割り当て情報、ダウンリンク資源割り当て情報、または任意の端末グループに対するアップリンク転送（Ｔｘ）パワー制御命令を含む。
【００７８】
基地局は端末に送ろうとするＤＣＩによってＰＤＣＣＨフォーマットを決定し、制御情報にＣＲＣ（cyclic redundancy check）を付ける。ＣＲＣにはＰＤＣＣＨの所有者（owner）や用途によって固有な識別子（ＲＮＴＩ：radio network temporary identifier）がマスキング（masking）される。特定の端末のためのＰＤＣＣＨであれば、端末の固有識別子（例えば、Ｃ−ＲＮＴＩ（cell-RNTI））がＣＲＣにマスキングできる。または、ページングメッセージのためのＰＤＣＣＨであれば、ページング指示識別子（例えば、Ｐ−ＲＮＴＩ（paging-RNTI））がＣＲＣにマスキングできる。システム情報ブロック（ＳＩＢ：system information block）のためのＰＤＣＣＨであれば、システム情報識別子（ＳＩ−ＲＮＴＩ（system information-RNTI））がＣＲＣにマスキングできる。また、端末のランダムアクセスプリアンブルの転送に対する応答であるランダムアクセス応答を指示するためにＲＡ−ＲＮＴＩ（random access-RNTI）がＣＲＣにマスキングできる。
【００７９】
図６は、アップリンクサブフレームの構造を示す。
【００８０】
図６を参照すると、アップリンクサブフレームは周波数領域で制御領域とデータ領域とに分けられる。制御領域にはアップリンク制御情報を運ぶＰＵＣＣＨが割り当てられる。データ領域はユーザデータを運ぶＰＵＳＣＨが割り当てられる。上位層で指示される場合、端末はＰＵＳＣＨとＰＵＣＣＨの同時転送をサポートすることができる。１つの端末に対するＰＵＣＣＨにはサブフレーム内に資源ブロック対（pair）が割り当てられる。ＰＵＣＣＨに割り当てられる資源ブロック対に属する資源ブロックはスロット境界（slot boundary）を基準に２つのスロットの各々で互いに異なる副搬送波を占める。これをＰＵＣＣＨに割り当てられた資源ブロック対はスロット境界で周波数ホッピング（frequency hopping）されるという。
【００８１】
次に、システム情報（System Information）に関して説明する。
【００８２】
システム情報は、端末が基地局に接続するために知っていなければならない必須情報を含む。したがって、端末は基地局に接続する前にシステム情報を全て受信していなければならず、また常に最新のシステム情報を有していなければならない。そして、前記システム情報は１つのセル内の全ての端末が知っていなければならない情報であるので、基地局は周期的に前記システム情報を転送する。
【００８３】
３ＧＰＰ ＴＳ ３６．３３１ Ｖ８．７．０（２００９−０９）“Radio Resource Control（ＲＲＣ）；Protocol specification（Release 8）”の５．２．２節によれば、前記システム情報はＭＩＢ（Master Information Block）、ＳＢ（Scheduling Block）、ＳＩＢ（System Information Block）に分けられる。ＭＩＢは端末が該当セルの物理的構成、例えば帯域幅（Bandwidth）などを知ることができるようにする。ＳＢはＳＩＢの転送情報、例えば転送周期などを知らせる。ＳＩＢは、互いに関連あるシステム情報の集合体である。例えば、あるＳＩＢは周辺のセルの情報のみを含み、あるＳＩＢは端末が使用するアップリンク無線チャンネルの情報のみを含む。
【００８４】
図７は、本発明が適用できるＲＲＣ接続を確立する過程を示す流れ図である。
【００８５】
端末はＲＲＣ接続を要求するＲＲＣ接続要求（RRC Connection Request）メッセージをネットワークに送る（Ｓ７１０）。ネットワークはＲＲＣ接続要求に対する応答としてＲＲＣ接続設定（RRC Connection Setup）メッセージを送る（Ｓ７２０）。ＲＲＣ接続設定メッセージを受信した後、端末はＲＲＣ接続モードに進入する。
【００８６】
端末はＲＲＣ接続確立の成功した完了を確認するために使われるＲＲＣ接続設定完了（RRC Connection Setup Complete）メッセージをネットワークに送る（Ｓ７３０）。
【００８７】
以下、測定及び測定報告について説明する。
【００８８】
移動通信システムにおける端末の移動性（mobility）サポートは必須である。したがって、端末は現在サービスを提供するサービングセル（serving cell）に対する品質及び隣り合うセルに対する品質を持続的に測定する。端末は測定結果を適切な時間にネットワークに報告し、ネットワークはハンドオーバーなどを通じて端末に最適の移動性を提供する。よくこのような目的の測定を無線資源管理測定（ＲＲＭ（radio resource management）measurement）と称する。
【００８９】
端末は移動性サポートの目的の以外に、事業者がネットワークを運営することに助けになる情報を提供するために、ネットワークが設定する特定の目的の測定を遂行し、その測定結果をネットワークに報告することができる。例えば、端末がネットワークが定めた特定セルのブロードキャスト情報を受信する。端末は、前記特定セルのセル識別子（Cell Identity）（これを広域（Global）セル識別子ともいう）、前記特定セルが属した位置識別情報（例えば、Tracking Area Code）、及び／又はその他のセル情報（例えば、ＣＳＧ（Closed Subscriber Group）セルのメンバーか否か）をサービングセルに報告することができる。
【００９０】
移動中の端末は特定地域の品質が非常に悪いということを測定を通じて確認した場合、品質の悪いセルに対する位置情報及び測定結果をネットワークに報告することができる。ネットワークはネックワークの運営を助ける端末の測定結果の報告に基づいてネットワークの最適化を図ることができる。
【００９１】
周波数再使用（Frequency reuse factor）が１の移動通信システムでは、移動性が大部分同一な周波数バンドにある互いに異なるセル間になされる。
【００９２】
したがって、端末の移動性をよく保証するためには、端末はサービングセルの中心周波数と同一な中心周波数を有する周辺セルの品質及びセル情報をよく測定できなければならない。このように、サービングセルの中心周波数と同一な中心周波数を有するセルに対する測定をイントラ周波数測定（intra-frequency measurement）と称する。
【００９３】
端末は、イントラ周波数測定を遂行して測定結果をネットワークに適切な時間に報告して、該当する測定結果の目的が達成できるようにする。
【００９４】
移動通信事業者は複数の周波数バンドを使用してネットワークを運用することもできる。複数の周波数バンドを通じて通信システムのサービスが提供される場合、端末に最適の移動性を保証するためには、端末はサービングセルの中心周波数と異なる中心周波数を有する周辺セルの品質及びセル情報をよく測定できなければならない。このように、サービングセルの中心周波数と異なる中心周波数を有するセルに対する測定をインター周波数測定（inter-frequency measurement）と称する。端末はインター周波数測定を遂行して測定結果をネットワークに適切な時間に報告できなければならない。
【００９５】
端末が他のＲＡＴに基づいたネットワークに対する測定をサポートする場合、基地局設定により該当ネックワークのセルに対する測定を行うこともできる。このような測定をインターラジオ接近方式（inter-RAT（Radio Access Technology））測定という。例えば、ＲＡＴは３ＧＰＰ標準規格に従うＵＴＲＡＮ（UMTS Terrestrial Radio Access Network）及びＧＥＲＡＮ（GSM EDGE Radio Access Network）を含むことができ、３ＧＰＰ２標準規格に従うＣＤＭＡ ２０００システムも含むことができる。
【００９６】
図８は、本発明が適用できる測定遂行方法の一例を示す流れ図である。
【００９７】
端末は基地局から測定設定（measurement configuration）情報を受信する（Ｓ８１０）。測定設定情報を含むメッセージを測定設定メッセージという。端末は測定設定情報に基づいて測定を遂行する（Ｓ８２０）。端末は測定結果が測定設定情報内の報告条件を満たせば、測定結果を基地局に報告する（Ｓ８３０）。測定結果を含むメッセージを測定報告メッセージという。
【００９８】
測定設定情報は、次のような情報を含むことができる。
【００９９】
（１）測定対象（Measurement object）情報：端末が測定を遂行する対象に関する情報である。測定対象はセル内の測定の対象であるイントラ周波数測定対象、セル間測定の対象であるインター周波数測定対象、及びインターＲＡＴ測定の対象であるインターＲＡＴ測定対象のうち、少なくともいずれか１つを含む。例えば、イントラ周波数測定対象はサービングセルと同一な周波数バンドを有する周辺セルを指示し、インター周波数測定対象はサービングセルと異なる周波数バンドを有する周辺セルを指示し、インターＲＡＴ測定対象はサービングセルのＲＡＴと異なるＲＡＴの周辺セルを指示することができる。
【０１００】
（２）報告設定（Reporting configuration）情報：端末が測定結果を転送することをいつ報告するかに関する報告条件及び報告タイプ（type）に関する情報である。報告設定情報は、報告設定のリストで構成できる。各報告設定は、報告基準（reporting criterion）及び報告フォーマット（reporting format）を含むことができる。報告基準は、端末が測定結果を転送するのをトリガーする基準である。報告基準は、測定報告の周期または測定報告のための単一イベントでありうる。報告フォーマットは、端末が測定結果をどんなタイプで構成するかに関する情報である。
【０１０１】
（３）測定識別子（Measurement identity）情報：測定対象と報告設定を関連させて、端末がどんな測定対象に対し、いつ、どんなタイプで報告するかを決定するようにする測定識別子に関する情報である。測定識別子情報は測定報告メッセージに含まれて、測定結果がどんな測定対象に対するものであり、測定報告がどんな報告条件で発生したかを示すことができる。
【０１０２】
（４）量的設定（Quantity configuration）情報：測定単位、報告単位、及び／又は測定結果値のフィルタリングを設定するためのパラメータに関する情報である。
【０１０３】
（５）測定ギャップ（Measurement gap）情報：ダウンリンク転送またはアップリンク転送がスケジューリングされなくて、端末がサービングセルとのデータ転送に対する考慮無しで、ただ測定することに使用できる区間である測定ギャップに関する情報である。
【０１０４】
端末は、測定手続を遂行するために、測定対象リスト、測定報告設定リスト、及び測定識別子リストを有している。
【０１０５】
３ＧＰＰ ＬＴＥで基地局は端末に１つの周波数バンドに対して１つの測定対象のみを設定することができる。３ＧＰＰ ＴＳ ３６．３３１ Ｖ８．５．０（２００９−０３）“Evolved Universal Terrestrial Radio Access（Ｅ−ＵＴＲＡ）Radio Resource Control（ＲＲＣ）；Protocol specification（Release 8）”の５．５．４節によれば、次の表のような測定報告が誘発されるイベントが定義されている。
【０１０６】
端末能力折衝（UE Capability negotiation）
【０１０７】
図９は、端末能力折衝手続の一例を示す流れ図である。
【０１０８】
基地局は無線資源の管理のために端末能力（UE capability）情報を必要とする。また、ネットワークが端末を管理（例、移動性サポートなど）するために端末能力情報が必要である。
【０１０９】
端末能力情報は端末に対する無線資源を管理／運用するための多様な情報を含む。一例に、端末能力情報は電力制御関連情報、コード資源情報、暗号化関連情報などを含むことができる。
【０１１０】
図９を参照すると、ＲＲＣ接続が設定された後、基地局は端末能力要求（UE capability enquiry）メッセージを端末に転送し（Ｓ９１０）、前記端末は前記端末能力要求メッセージに対する応答として端末能力情報（UE capability information）を前記基地局に転送する（Ｓ９２０）。
【０１１１】
全二重通信システム（FDR System）
【０１１２】
図１０は、全二重通信システムの一例を示す概念図である。
【０１１３】
全二重通信（Full-Duplex Radio：ＦＤＲ）システム（以下、‘ＦＤＲシステム’という）とは、無線装置（端末または基地局）が同一な無線資源（同一な時間／周波数／空間など）を用いて送信及び受信を同時に遂行できるようにサポートするシステムをいう。
【０１１４】
ＦＤＲシステムにおける無線装置を‘ＦＤＲ無線装置’といい、ＦＤＲ無線装置は同一な無線資源を通じて送信及び受信動作を同時に遂行することができる。このようなＦＤＲ無線装置の動作をＦＤＲ動作と表現する。
【０１１５】
ＦＤＲ無線装置は、ＦＤ（Ｒ）モード（Full-Duplex mode）でＦＤＲ動作を遂行する。
【０１１６】
即ち、ＦＤモードで前記ＦＤＲ無線装置は同一な無線資源を通じて送信及び受信動作を同時に遂行する。
【０１１７】
図１０に示すように、基地局または端末がＦＤＲ動作を遂行するか、または基地局及び端末が同時にＦＤＲ動作を遂行することもできる。
【０１１８】
しかしながら、ＦＤＲシステムではＦＤＲ無線装置が同一な無線資源を使用して送信及び受信動作を同時に遂行するので、intra-device interference、inter-device interferenceのような干渉が発生する。
【０１１９】
前記intra-device interferenceは基地局または端末に備えられた送信アンテナから送信する信号が該当基地局または端末の受信アンテナに受信されることによって発生する干渉をいい、自己干渉（self interference）と表現されることもできる。
【０１２０】
前記inter-device interference（ＩＤＩ；以下、‘ＩＤＩ’という）は、基地局または端末から送信する（アップリンク）無線信号が隣接（または、隣り合う）基地局または端末に受信されることによって発生する干渉をいい、co-channel interferenceと表現されることもできる。
【０１２１】
Inter-device interference（ＩＤＩ）
【０１２２】
図１１は、ＦＤＲシステムで発生するＩＤＩの一例を示す概念図である。図１１ａは端末が２つの場合に発生するＩＤＩを示す、図１１ｂは端末が４個の場合に発生するＩＤＩを示す。
【０１２３】
図１１ａの場合、基地局がＦＤＲ動作を遂行することによって、端末１で端末２の送信信号によってＩＤＩが発生することを見ることができる。
【０１２４】
即ち、前記基地局が同一な資源を用いて端末２から受信、及び端末１に送信を遂行する場合、前記端末１が基地局から信号を受信する時、前記基地局に転送する端末２の送信信号によって前記端末１にＩＤＩが発生する。
【０１２５】
図１１ｂでは基地局がＦＤＲ動作を遂行し、端末１乃至端末４はＦＤＭＡまたはＴＤＭＡの多重接続を行う場合を示す。
【０１２６】
図１１ｂに示すように、端末４では端末３の送信信号によってＩＤＩが発生し、端末１では端末２の送信信号によってＩＤＩが発生する。
【０１２７】
ＦＤＲシステムで、ＦＤＤ（frequency division duplex）またはＴＤＤ（time division duplex）を使用する場合には、送信及び受信動作時、無線資源を異なるように使用するので、前述したＩＤＩは発生しない。
【０１２８】
そして、ＦＤＲシステムで同一な無線資源を使用する全二重（Full-Duplex）だけでなく、同一な無線資源を使用しない全二重（Full-Duplex）も存在することがある。
【０１２９】
ＦＤＲ動作のための端末グルーピング（Grouping）方法
【０１３０】
以下、ＦＤＲシステムでＩＤＩを緩和するための方法として、ＩＤＩ測定及びＩＤＩ測定結果報告（reporting）、ＦＤＲ動作のための端末グルーピング（以下、‘ＦＤＲグルーピング’という）方法について具体的に説明する。
【０１３１】
端末グルーピング（grouping）とは、セル内に位置する端末を特定基準に基づいて１つの集団に括る過程をいう。前記特定基準は、セル内の周辺端末の干渉（interference）信号強度、セル内の端末の幾何学的な配置（geometric deployment）などでありうる。
【０１３２】
図１２は、端末グルーピング方法の一例を示す流れ図である。
【０１３３】
まず、基地局はグループに設定される候補端末にグルーピングのための情報を転送する（Ｓ１２１０）。
【０１３４】
以後、各グループに設定される候補端末は周辺端末とのＩＤＩを測定する（Ｓ１２２０）。
【０１３５】
端末がＩＤＩを測定し、ＩＤＩ測定結果を報告する具体的な手続は以下の通りである。
【０１３６】
即ち、基地局（または、ネットワーク）は端末で測定されたＩＤＩを減らすか、または除去するために、端末または端末グループに固有なシグネチャー（signature）を与える。
【０１３７】
ここで、前記シグネチャーはＩＤＩ測定のために端末間に区別されるか、または端末グループ間に区別するための信号を意味する。各端末グループに固有なシグネチャーを与える場合には、端末グループが予め形成されていることが好ましい。
【０１３８】
前記シグネチャー信号の形態はコードシーケンス（code sequence）、パンクチャリングパターン（puncturing pattern）などがあり、端末または端末グループを区別できる形態であれば、どんなものでも可能である。
【０１３９】
前記シグネチャー信号としてコードシーケンス（Code sequence）を用いる場合には、端末または端末グループの固有スクランブル（scramble）またはインターリービングを適用することができる。
【０１４０】
また、前記シグネチャー信号を受信する端末でＩＤＩ測定を容易にするために、前記シグネチャー信号は排他的に１つの端末または１つの端末グループのみに転送または割り当てられる。ここで、排他的な最小単位はＯＦＤＭシンボル（OFDM symbol）でありうる。
【０１４１】
一実施形態として、前記シグネチャー信号の構成をコードシーケンスにし、１つの ＯＦＤＭシンボルを用いて端末が送信する場合、各端末が送信するシーケンスのインデックス（index）は端末ＩＤを通じて算出できる。
【０１４２】
即ち、各端末が送信するシーケンスのインデックスはファンクション（function）（端末ＩＤ）として表現できる。
【０１４３】
または、端末ＩＤをなす情報の量がコードシーケンスのインデックスより多い場合、各端末が送信するシーケンスのインデックスはモジュロ演算（mod operation）、即ち以下の＜数式１＞により算出できる。
【０１４４】
【数１】
0006495335.tif 000002
【０１４５】
更に他の一例として、各シグネチャー信号を区分するために、端末ＩＤまたはシーケンスインデックスを反映して前記シグネチャー信号をｍ−シーケンスとして構成することもできる。
【０１４６】
即ち、ＬＴＥのＳＳＳ（Secondary Synchronization Signal）で使用する以下の数式のようなｍ−シーケンス（m-sequence）を使用することができる。
【０１４７】
【数２】
0006495335.tif 000003
【０１４８】
ここで、
【数３】
0006495335.tif 000004
は端末ＩＤまたはシーケンスインデックスを使用することによってｍ′を求めることができるため、各シグネチャー信号を区分できるようになる。
【０１４９】
端末は基地局から転送されるシグネチャーを通じてＩＤＩを発生させる端末に対する信号強度（signal strength）、端末またはシグネチャーインデックス（index）、位相（phase）などのチャンネルベクトル（channel vector）、タイミング情報（timing information）などを知ることができるようになる。
【０１５０】
以後、端末は前記基地局にＩＤＩ測定結果を報告（reporting）する（Ｓ１２３０）。
【０１５１】
以後、前記基地局は前記報告されたＩＤＩ測定結果に基づいてＦＤＲグルーピングを遂行する（Ｓ１２４０）。
【０１５２】
前記ＦＤＲグルーピング過程が完了した場合、前記基地局は前記ＦＤＲグルーピング過程を通じて設定されたＦＤＲグループと関連した情報を端末に転送する（Ｓ１２５０）。
【０１５３】
以後、端末はＩＤＩ測定及びＩＤＩ測定結果報告をＦＤＲグルーピング過程が終わるまで繰り返して遂行する。即ち、前記端末は周期的にＩＤＩを測定し、ＩＤＩ測定結果を基地局に報告（reporting）する動作を遂行する（Ｓ１２６０）。
【０１５４】
以下、本明細書で提案するＦＤＲシステムにおけるＦＤＲ関連能力情報を交換する方法、ＦＤＲ動作に対する具体的なプロシージャ定義及びＦＤＲ動作と関連した動作モードなどについて具体的に説明する。
【０１５５】
ＦＤＲ関連能力情報交換方法
【０１５６】
まず、ＦＤＲグルーピングを効果的に遂行するために、ＦＤＲシステムで、端末間、端末と基地局との間、基地局間にＦＤＲ関連能力情報を交換する方法、即ちＦＤＲ能力折衝手続方法について説明する。
【０１５７】
まず、本明細書で提案するＦＤＲシナリオはネットワーク環境（または、構造）及びＦＤＲ動作遂行主体によって大別して以下の３種類のシナリオを考えることができる。
【０１５８】
ＦＤＲシナリオ１．インフラストラクチャネットワーク（Infrastructure network）でのＦＤＲ動作方法。
【０１５９】
ＦＤＲシナリオ２．インフラストラクチャネットワーク及びＤ２ＤネットワークでのＦＤＲ動作方法。
【０１６０】
ＦＤＲシナリオ３．  Ｄ２ＤネットワークでのＦＤＲ動作方法。
【０１６１】
各々のＦＤＲシナリオに対する具体的な説明は，図１３から図１５で具体的に説明する。
【０１６２】
また、本明細書で提案するＦＤＲシナリオで、以下のような用語を使用する。
１．ＦＤ（Ｒ）ホスト
２．ＦＤ（Ｒ）メンバー
３．ＦＤ（Ｒ）能力（capability）装置
【０１６３】
まず、ＦＤＲホストはＦＤＲ動作を遂行する、即ちＦＤ活性化（activation）モードで動作する端末または基地局を意味する。
【０１６４】
前記ＦＤ活性化モードはＦＤＲ動作を遂行するモードであって、ＦＤＲ端末または基地局が同一な無線資源（時間、周波数、空間など）を用いて送信及び受信を同時に遂行するモードをいう。
【０１６５】
次に、ＦＤＲメンバーはＦＤＲホストを助ける役割をする基地局または端末を意味する。
【０１６６】
前記ＦＤＲメンバーに該当する場合、ＩＤＩを測定し、ＩＤＩ測定結果を基地局またはＦＤＲホストに報告（reporting）する動作を遂行する。
【０１６７】
次に、ＦＤＲ能力装置はＦＤＲ動作を遂行することができる能力を有する端末または基地局をいう。前記ＦＤＲホスト及びＦＤＲメンバーは全てＦＤＲ能力装置に該当する。
【０１６８】
図１３から図１５を参照して本明細書で提案するＦＤＲシナリオについて説明する。
【０１６９】
図１３は、本明細書で提案するＦＤＲシナリオの一例を示す概念図である。
【０１７０】
即ち、図１３はインフラストラクチャネットワークで基地局がＦＤＲホストとして動作するＦＤＲシナリオを示す。
【０１７１】
ここで、基地局はＦＤＲホストであり、端末１はＦＤＲメンバーに該当する。
【０１７２】
ＦＤＲホストに該当する基地局は同一な無線資源を通じて端末２から受信及び端末１に送信する動作を同時に遂行する。この場合、端末２の転送信号は端末１の受信にＩＤＩを発生させる。
【０１７３】
この場合、ＦＤＲメンバーに該当する端末１は端末２から発生するＩＤＩを測定し、ＩＤＩ測定結果を基地局に報告する。ここで、前記基地局及び前記端末１はＦＤＲ能力装置である。
【０１７４】
図１４は、本明細書で提案するＦＤＲシナリオの更に他の一例を示す図である。
【０１７５】
即ち、図１４はインフラストラクチャネットワークとＤ２Ｄネットワークとが混在された無線環境で端末がＦＤＲホストとして動作するシナリオを示す。
【０１７６】
図１４ａはＦＤＲホストに該当する端末が基地局に送信及び他端末から受信するＦＤＲ動作を示し、図１４ｂはＦＤＲホストに該当する端末が基地局から受信及び他端末に送信するＦＤＲ動作を示す。
【０１７７】
図１４ａ及び図１４ｂはＦＤＲホストである端末の送信／受信方向のみ異なるので、図１４ａを中心として説明する。
【０１７８】
図１４ａに示すように、端末１はＦＤＲホストであり、基地局はＦＤＲメンバーである。したがって、前記基地局は端末２から発生するＩＤＩを測定する。
【０１７９】
但し、前記基地局はＩＤＩ測定結果を用いてＦＤＲグルーピングを遂行する主体であるので、ＩＤＩ測定結果を別に報告する必要はないが、ＩＤＩ測定結果を端末１に報告することもできる。
【０１８０】
図１５は、本明細書で提案するＦＤＲシナリオの更に他の一例を示す図である。
【０１８１】
即ち、図１５はＤ２Ｄネットワークで端末がＦＤＲホストとして動作するシナリオを示す。
【０１８２】
ここで、端末３はＦＤＲホストであり、端末２はＦＤＲメンバーとして動作する。
【０１８３】
したがって、端末２は端末１によって発生するＩＤＩを測定し、ＩＤＩ測定結果を基地局または端末３に報告する。
【０１８４】
好ましくは、端末２はＩＤＩ測定結果を基地局に報告する。
【０１８５】
但し、Ｄ２Ｄ通信が基地局の関与無しで端末間のみになされる場合（一例に、WiFi Directなど）、端末２はＩＤＩ測定結果をＦＤＲホストである端末３に報告することが好ましい。
【０１８６】
図１６は、本明細書で提案する初期接続手続を通じてＦＤＲ関連能力情報を交換する方法の一例を示す図である。
【０１８７】
図１６を参照すると、基地局は自身のＦＤＲ関連能力情報を端末に転送する（Ｓ１６１０）。
【０１８８】
ここで、前記ＦＤＲ関連能力情報はＦＤＲ動作、即ち同一な資源を用いて送信及び受信を同時に遂行することができる能力があるかを示す情報である。
【０１８９】
前記基地局が転送する基地局のＦＤＲ関連能力情報はシステム情報を通じて周期的に転送できる。
【０１９０】
好ましくは、前記ＦＤＲ関連能力情報はＳＩＢ ２（System InformationBlock 2）のRadioResourceConfigCommonSIBを通じて転送できる。
【０１９１】
以後、前記端末は自身のＦＤＲ関連能力情報を前記基地局に転送する。
【０１９２】
ここで、前記端末のＦＤＲ関連能力情報は初期接続（initial access）の以後、または初期接続手続中に前記基地局に転送されることができ、以下では初期接続手続中に転送される方法について説明し、初期接続手続の以後に転送される方法については図１７で説明する。
【０１９３】
前記端末のＦＤＲ関連能力情報が初期接続手続中に転送される場合には、ステップＳ１６２０からステップＳ１６４０に該当するＲＲＣ接続確立（connection establishment）手続を通じて前記ＦＤＲ関連能力情報が転送できる。
【０１９４】
即ち、前記端末は前記基地局にＲＲＣ関連メッセージを転送するステップであるステップＳ１６２０またはステップＳ１６４０で、前記端末のＦＤＲ関連能力情報を共に転送するか、またはステップＳ１６２０からステップＳ１６４０の間に追加メッセージを通じて前記ＦＤＲ関連能力情報を転送することができる。
【０１９５】
前記端末が初期接続手続過程で前記ＦＤＲ関連能力情報を転送する場合、該当メッセージに前記端末がＦＤＲ動作を遂行することができる能力があるか否かを示す１ビットの指示（indication）情報が追加できる。
【０１９６】
前記該当メッセージはＲＲＣ接続要求（RRC connection Request）メッセージまたはＲＲＣ接続設定完了（RRC connection Setup Complete）メッセージである。
【０１９７】
以後、前記端末は前記基地局に端末能力要求（UE capability Enquiry）メッセージを転送し（Ｓ１６５０）、前記基地局から前記端末能力要求メッセージに対する応答として端末能力情報（UE capability information）を受信する（Ｓ１６６０）。
【０１９８】
前記ＦＤＲ関連能力情報（ＦＤＲ関連パラメータ）はＦＤＲホストとして動作できるＦＤモードをサポートするか否かを示すＦＤモード（サポート）指示情報、ＦＤメンバーとしてＦＤＲアシストをサポートするか否かを示すＦＤアシスト指示情報などを含むことができる。
【０１９９】
前記ＦＤモード指示情報は基地局または端末がＦＤＲホストとして動作可能か否かを示す情報を意味し、１ビットで表現できる。
【０２００】
前記ＦＤアシスト指示（indication）情報は、ＦＤＲグルーピングに参加してＦＤＲメンバーとして動作可能か否かを示すパラメータであって、１ビットで表現できる。
【０２０１】
前記ＦＤモード指示情報がＦＤモードをサポートすることを示す場合、前記ＦＤＲ関連能力情報はＦＤモードの動作方法を示すパラメータをさらに含む。
【０２０２】
前記ＦＤモードの動作方法を示すパラメータはＦＤモードの動作方法がグルーピングまたは他の方法により遂行されるかを示す情報であり、前記ＦＤモードの動作方法がグルーピングを通じて遂行される場合、ＦＤＲグルーピング方法と関連した以下のような情報をさらに含むことができる。
【０２０３】
（１）幾何学的（geometric）グルーピング、（２）ワースト（worst）ＩＤＩグルーピング、（３）ベスト（best）ＩＤＩグルーピング、（４）ＦＤＲに使用する周波数情報を用いるグルーピング。
【０２０４】
ここで、前記ＦＤＲグルーピングは基地局またはＤ２Ｄ通信の場合、ＦＤＲホストとして動作する端末により遂行できる。
【０２０５】
前記幾何学的グルーピングは、端末などの地理的位置を考慮してＦＤＲグルーピング方法が遂行されることを示す。
【０２０６】
前記ワーストＩＤＩグルーピングは、ＩＤＩ測定結果のうち、特定値（しきい値、予め決定されている値）より高い値、即ちＩＤＩが大きい値を報告した端末同士ＦＤＲグルーピング方法が遂行されることを示す。
【０２０７】
反対に、前記ベストＩＤＩグルーピングは、ＩＤＩ測定結果のうち、特定値より低い値、即ちＩＤＩが小さい値を報告した端末同士ＦＤＲグルーピング方法が遂行されることを示す。
【０２０８】
前記ＦＤＲ動作に使われる周波数情報を用いたグルーピングは、同一周波数を使用する端末同士ＦＤＲグルーピングされるか、または異なる周波数を使用する端末同士ＦＤＲグルーピング方法が遂行されることを示す。
【０２０９】
以後、前記ＦＤＲ能力折衝手続が完了した場合、前記端末は非ＦＤＲモードに進入することができる（Ｓ１６７０）。前記非ＦＤＲモードはＦＤＲ能力がある端末がＦＤモードへの切換を待つモードである。
【０２１０】
図１７は、本明細書で提案する端末能力折衝手続を通じてＦＤＲ関連能力情報を交換する方法の一例を示す図である。
【０２１１】
ステップＳ１７１０からステップＳ１７４０、ステップＳ１７７０は、図１６のステップＳ１６１０からステップＳ１６４０、ステップＳ１６５０と同一であるので、具体的な説明は省略し、差がある部分に対してのみ説明する。
【０２１２】
図１７に示すように、端末は初期接続手続の以後、ステップＳ１７５０からステップＳ１７６０の端末能力折衝手続を用いてＦＤＲ関連能力情報を転送することができる。即ち、前記端末は自身のＦＤＲ関連能力情報をステップＳ１７６０の端末能力情報と一緒に前記基地局に転送する。
【０２１３】
ここで、前記基地局は自身のＦＤＲ関連能力情報をシステム情報を通じて転送できるが、前記ステップＳ１７５０の端末能力要求メッセージ転送時に共に転送することも可能である。
【０２１４】
前記端末のＦＤＲ関連能力情報が前記端末能力情報（UE capability information）を通じて転送される場合、前記ＦＤＲ関連能力情報は端末能力情報の物理的パラメータ（physical parameter）のうち、いずれか１つを用いて転送できる。
【０２１５】
図１８は、本明細書で提案するＦＤＲ関連能力情報を交換する方法の更に他の一例を示す図である。
【０２１６】
図１８の場合、ＦＤＲシステムでＦＤＲ動作を定義する前に、ＦＤＲ能力があるＦＤＲ基地局が初めてＦＤＲシステムに配置（deploy）される場合、前記基地局が隣接（または、隣り合う、周辺）基地局またはＭＭＥと能力折衝（capability negotiation）手続で互いのＦＤＲ関連能力情報を交換する方法を示す。
【０２１７】
ここで、前記基地局のＦＤＲ関連能力情報はＸ２インターフェースまたはＳ１インターフェースを介して転送できる。
【０２１８】
各基地局のＦＤＲ関連能力情報はＸ２インターフェースを用いて直接交換できる（Ｓ１８１０）。
【０２１９】
また、前記ＦＤＲ関連能力情報がＳ１インターフェースを介して交換される場合には、ＭＭＥと基地局との間のＦＤＲ関連能力情報を交換し、基地局は前記ＭＭＥを通じて隣接（または、隣り合う、周辺）基地局のＦＤＲ関連能力情報を獲得することができる（Ｓ１８２０）。
【０２２０】
前記ＦＤＲ関連能力情報は、前述したＦＤモード（サポート）指示情報、ＦＤアシスト指示（indication）情報、ＦＤモードの動作方法を示すパラメータ、ＦＤグルーピング方法と関連した情報などを含むことができる。
【０２２１】
図１９は、本明細書で提案するＤ２Ｄ端末間にＦＤＲ関連能力情報を交換する方法の一例を示す図である。
【０２２２】
図１９はＤ２ＤネットワークでＦＤＲ動作を定義する前に、ＦＤＲ能力があるＤ２Ｄ端末が初めてＤ２Ｄネットワークに進入する場合、Ｄ２Ｄ端末が周辺端末と直接Ｄ２Ｄ通信を遂行しようとする時、相互間にＦＤＲ関連能力情報を交換する方法を示す。
【０２２３】
図１９に示すように、Ｄ２Ｄ端末間ＦＤＲ関連能力情報の交換は、Ｄ２Ｄ通信過程中、デバイス発見（device discovery）ステップで遂行できる（Ｓ１９１０）。即ち、端末１及び端末２はデバイス発見ステップで互いに交換するメッセージに各自のＦＤＲ関連能力情報を含んで相手方に転送する。
【０２２４】
更に他の一例として、Ｄ２Ｄ通信を遂行することに決定された以後、即ちＤ２Ｄ端末間のＤ２Ｄ接続確立が完了した以後（Ｓ１９１０’）、各Ｄ２Ｄ端末はＦＤＲ関連能力情報を互いに交換することができる（Ｓ１９２０’）。
【０２２５】
この場合、各Ｄ２Ｄ端末のＦＤＲ関連能力情報は追加メッセージを通じて、またはイベント発生時に転送されるメッセージなどを通じて交換できる。
【０２２６】
前記ＦＤＲ関連能力情報交換を通じて、ＦＤＲ関連能力があると確認された場合、Ｄ２Ｄ端末のうちの１つはＦＤＲホストの役割を遂行し、他の端末はＦＤＲホストを助ける（assistance）ＦＤＲメンバーの役割を遂行する。
【０２２７】
同様に、前記ＦＤ関連能力情報は、ＦＤモード指示情報、ＦＤアシスト指示（indication）情報、ＦＤモードの動作方法を示すパラメータ、ＦＤグルーピング方法と関連した情報などを含むことができる。
【０２２８】
ＦＤＲ動作と関連したモード定義
【０２２９】
以下に記述されるＦＤＲ動作と関連したモードについて説明する。
【０２３０】
本明細書で提案するＦＤＲシナリオでＦＤＲ端末または基地局は３種類の形態のモード、即ち（１）非ＦＤＲモード（ＦＤＲ不活性化モード）、（２）ＦＤＲ準備モード、（３）ＦＤＲモード（ＦＤＲ活性化／メンバーモード）を有することができる。
【０２３１】
具体的に、ＦＤホスト及びＦＤメンバーはＦＤＲシナリオで前記３種類の形態のモードを用いてＦＤＲ動作を遂行する。
【０２３２】
まず、ＦＤ（Ｒ）モードは、前述したように、ＦＤＲ能力端末または基地局がＦＤＲ動作を遂行するモードをいう。ここで、ＦＤＲ動作は同一な資源を用いて送信及び受信を同時に遂行する動作を意味する。
【０２３３】
ＦＤＲホストがＦＤＲモードにある場合、ＦＤＲ活性化モードと表現されることができ、ＦＤＲメンバーがＦＤＲモードにある場合、ＦＤＲメンバーモードと表現できる。
【０２３４】
次に、非ＦＤＲモード（Non-FDR mode）はＦＤＲ不活性化モードであって、ＦＤＲ動作がまだ活性化されていないモードをいう。
【０２３５】
即ち、非ＦＤＲモードにあるＦＤＲ能力端末または基地局は、ＦＤＲモードへの切換を待機することができる。
【０２３６】
次に、ＦＤＲ準備モード（FDR preparation mode）はＦＤＲ能力端末または基地局がＩＤＩを測定／測定報告、ＦＤＲグルーピング方法を遂行する時に動作するモードをいう。
【０２３７】
前記ＦＤＲ準備モードは、ＦＤメンバーがＦＤＲ準備モードにある場合とＦＤホストがＦＤＲ準備モードにある場合、その意味が異なる。
【０２３８】
即ち、ＦＤＲメンバーでのＦＤＲ準備モードはＦＤＲメンバーモードに切り換える前、ＦＤＲメンバーに該当する端末（ＦＤＲメンバー端末）が周辺端末のＩＤＩを測定する過程と関連した状態のモードを意味する。
【０２３９】
この場合、ＦＤＲメンバー端末は、基地局からＦＤＲグルーピングのためのＩＤＩ測定設定（IDI measurement configuration）メッセージを受信した以後、ＦＤＲ準備モードに進入し、ＦＤＲメンバー端末が特定ＦＤＲグループに含まれるか、またはＩＤＩ測定を終了する場合、前記ＦＤＲ準備モードは終了する。
【０２４０】
また、ＦＤＲホストでのＦＤＲ準備モードはＦＤＲホストに該当する端末（ＦＤＲホスト端末）がＦＤＲモードまたはＦＤＲ活性化モードに切り換える前、基地局からＦＤグループ情報を受信するために待つ状態をいう。
【０２４１】
前記ＦＤＲホストは、ＦＤグルーピング要求メッセージを転送するか、またはＦＤグルーピング応答メッセージを受信した時点にＦＤＲ準備モードに進入し、ＦＤグルーピングタイマーが満了するか、または基地局からＦＤグループ情報を受信する場合、前記ＦＤＲ準備モードは終了する。
【０２４２】
ここで、前記ＦＤグルーピングタイマーは前記ＦＤグループ情報受信と関連したタイマーであって、ＦＤグルーピング応答メッセージを基地局から受信する時点に駆動され、ＦＤグループ情報を前記基地局から受信する時点に終了するタイマーをいう。
【０２４３】
前記ＦＤグルーピングタイマーを駆動する理由は、ＦＤＲホストが不要に基地局にＦＤグルーピング要求メッセージを再転送することを防止するためである。
【０２４４】
即ち、基地局はＦＤホストにＦＤグルーピング応答メッセージを転送してから、ＩＤＩ測定、ＩＤＩ測定結果収集、ＦＤグルーピングなどの手続を遂行しなければならないので、ＦＤグループ情報を前記ＦＤホストに転送するまで多い時間がかかることがある。
【０２４５】
したがって、ＦＤＲホストは前記ＦＤグルーピングタイマーを駆動することによって、前記ＦＤグルーピングタイマーが駆動される時間の間には前記ＦＤグループ情報を受信できなくても前記基地局にＦＤグルーピング要求メッセージを再転送しないことがある。
【０２４６】
また、前記ＦＤグルーピングタイマーは実装によってＦＤグルーピング要求メッセージを基地局に転送する場合に駆動され、ＦＤグループ確認（FD group confirm）メッセージを前記基地局に転送する場合に終了するようにすることができる。
【０２４７】
前記ＦＤグルーピングタイマーは、ＦＤグルーピング要求メッセージを転送する時点に駆動し、ＦＤグルーピング応答メッセージを受信する時に終了するＲＲＣメッセージ関連タイマーと区別される。
【０２４８】
前記ＲＲＣメッセージ関連タイマーは、前記ＦＤグルーピング応答メッセージを受信する場合に終了する。前記ＦＤグルーピングタイマーが前記ＦＤグルーピング要求メッセージを転送する時点に駆動される場合、即ち前記ＲＲＣメッセージ関連タイマーと一緒に駆動される場合に、前記ＦＤグルーピング応答メッセージを前記ＲＲＣメッセージ関連タイマーが満了する前まで受信できなかった場合、前記ＦＤグルーピングタイマーは前記ＲＲＣメッセージ関連タイマーが満了する時点に共に終了できる。
【０２４９】
ＦＤＲグルーピングのための具体的なＦＤＲ動作プロシージャ定義
【０２５０】
以下、ＦＤＲ関連能力情報の交換後、効果的なＦＤＲグルーピングのための具体的なＦＤＲ動作プロシージャについて説明する。
【０２５１】
図２０は、本明細書で提案するＦＤＲ動作方法の一例を示すフローチャートである。
【０２５２】
端末と基地局、端末間、または基地局間にＦＤＲ関連能力情報を交換する（Ｓ２０１０）。
【０２５３】
前記ＦＤＲ関連能力情報交換方法に対する具体的な説明は、図１６から図１９を参考にする。
【０２５４】
ここで、ＦＤＲ動作を遂行するＦＤＲホストとＦＤＲメンバーは予め決定されていると仮定する。但し、ＦＤＲホスト及びＦＤＲメンバーは基地局により、または端末の要求によりステップＳ２０１０の以後に決定されることもできる。
【０２５５】
以後、ＦＤＲホスト及びＦＤＲメンバーは、各々ＦＤＲ準備モードに進入する（Ｓ２０２０）。ここで、前記ＦＤＲメンバーは基地局からＩＤＩ測定設定情報を受信した以後、前記ＦＤＲ準備モードに進入する。
【０２５６】
前記ＦＤＲメンバーは、前記ＦＤＲ準備モードでＩＤＩを測定し、ＩＤＩ測定結果を前記基地局に転送する（Ｓ２０３０、Ｓ２０４０）。
【０２５７】
ここで、前記基地局がＦＤＲメンバーの場合にはＩＤＩ測定結果を別に転送する必要がないが、必要な場合、ＦＤＲホストにＩＤＩ測定結果を転送することもできる。
【０２５８】
また、前記ＦＤＲホストは前記ＦＤＲ準備モードに進入して前記基地局にＦＤグルーピング要求メッセージを転送し、前記基地局から前記ＦＤグルーピング要求メッセージに対する応答としてＦＤグルーピング応答メッセージを受信する（Ｓ２０５０）。
【０２５９】
前記ＦＤグルーピング応答メッセージを受信する場合、前記ＦＤＲホストはＦＤグルーピングタイマーを駆動し、前記ＦＤグルーピングタイマーが満了するまで前記基地局からＦＤグループ情報の受信を待つ。
【０２６０】
前記ＦＤＲホストは、前記ＦＤグルーピングタイマーが満了する前まで前記ＦＤグルーピング情報を受信できない場合、前記基地局にＦＤグルーピング要求メッセージを再転送する。
【０２６１】
以後、前記基地局はＦＤＲメンバーから受信されたＩＤＩ測定結果報告に基づいてＦＤＲグルーピングを遂行する（Ｓ２０６０）。ＦＤＲグルーピングと関連した具体的な説明は、図１２を参照する。
【０２６２】
以後、前記基地局は各ＦＤＲ能力端末に（特定）ＦＤＲグループにグルーピングされることを指示するＦＤＲモード遷移命令（transition command）メッセージを転送する（Ｓ２０７０）。
【０２６３】
前記ＦＤＲモード遷移命令メッセージは、ＦＤＲグループに該当するシグネチャー情報など、ＦＤＲグループと関連した情報を含むことができる。
【０２６４】
前記ＦＤＲモード遷移命令メッセージを受信した端末は、ＦＤモードに切り換える。
【０２６５】
即ち、ＦＤＲホストはＦＤＲ活性化モードで動作し、ＦＤＲメンバーはＦＤＲメンバーモードで動作するようになる。
【０２６６】
ここで、前記基地局がＦＤＲホストとしてＦＤモードで動作する場合、可撓性（Flexible）ＴＤＤモードまたは全二重（Full Duplex）モードを遂行することができ、端末がＦＤＲホストとしてＦＤモードで動作する場合には全二重モードのみを遂行することができる。
【０２６７】
以下、ＦＤＲシナリオで端末がＦＤＲメンバーの場合と、ＦＤＲホストの場合のＦＤＲ準備モードに対し、図２１及び図２２を参照してより具体的に説明する。
【０２６８】
図２１は、本明細書で提案するＦＤＲシナリオでＦＤＲ準備モードでのＦＤＲ動作の一例を示す図である。
【０２６９】
図２１に示すように、ＦＤＲ能力端末は網初期接続過程でＦＤＲ関連能力情報を基地局またはネットワークと交換する（Ｓ２１１０）。ここで、前記ＦＤＲ能力端末はＦＤＲメンバーと仮定する。
【０２７０】
前記ＦＤＲメンバー端末は非ＦＤＲモードにおり、ＦＤモードに切り換えるために待つ。
【０２７１】
また、前記ＦＤモードは接続状態端末に有効なモードのものが好ましいが、アイドル状態の端末にも有効なモードでありうる。
【０２７２】
以後、前記ＦＤＲメンバー端末は、基地局からＦＤＲグルーピングのためのＩＤＩ測定設定（Neighbor UE interference measurement configuration）情報（または、メッセージ）を受信する（Ｓ２１２０）。ステップＳ２１２０で、前記ＦＤＲメンバー端末はＦＤＲ準備モードに進入する（Ｓ２１３０）。
【０２７３】
前記ＩＤＩ測定設定情報は、ＩＤＩを測定する周辺端末のリスト情報、測定結果報告方法と関連した情報を含むことができる。
【０２７４】
前記ＩＤＩを測定する周辺端末のリスト情報は、端末または端末グループを示すシグネチャー情報を含むことができる。
【０２７５】
前記測定結果報告方法と関連した情報は、イベントトリガーされた報告（Event-triggered reporting）または周期的報告（Periodic reporting）方式を含むことができる。
【０２７６】
前記イベントトリガーされた報告方式はしきい値を用いるものであって、前記しきい値はセル特定に（cell specific）または端末グループ特定に（UE group specific）設定できる。
【０２７７】
前記周期的報告方式は周期的に報告する方式であって、オフセット情報などを用いることができる。
【０２７８】
以後、前記ＦＤＲメンバー端末は、前記基地局から受信されるＩＤＩ測定設定情報に基づいて、ＩＤＩを測定し（Ｓ２１４０）、ＩＤＩ測定結果を前記基地局に報告する（Ｓ２１５０）。
【０２７９】
即ち、前記ＦＤＲメンバー端末は、前記基地局が指示した測定報告条件を満たす場合、前記基地局にＩＤＩ測定結果を報告する。
【０２８０】
前記基地局から特別な指示があるまで、前記ＦＤＲメンバー端末はＩＤＩ測定及びＩＤＩ測定結果報告過程を繰り返して遂行する。
【０２８１】
もし、前記ＦＤＲ能力端末が基地局からＩＤＩ測定設定情報を受信したが、端末状況などを考慮してＦＤＲメンバーとして動作することを希望しない場合、前記基地局にＩＤＩ測定結果報告を遂行しないことがある。
【０２８２】
この場合、前記ＦＤＲ能力端末はＦＤＲ準備モードに進入せず、非ＦＤＲモードを維持するようになる。
【０２８３】
また、前記ＦＤＲ能力端末は、前記基地局にＦＤ拒絶メッセージを転送することによって、ＦＤＲメンバーとしてＦＤＲグルーピングに参加しないことを明確に知らせることができる。
【０２８４】
この場合、前記基地局はＦＤＲグループ形成時、ＩＤＩ測定結果を報告した端末のみを対象にしてＦＤＲグループを形成できるようになる。即ち、前記基地局は端末からＩＤＩ測定結果の報告を受けることによって、端末がＦＤＲグルーピングに参加するか否かを確認できるようになる。
【０２８５】
前述したように、前記ＦＤＲメンバー端末のＦＤＲ準備モードは、ＦＤＲグルーピングのためのＩＤＩ測定設定メッセージを基地局から受信した時点に進入し、特定ＦＤＲグループに含まれるか、またはＩＤＩ測定が終了する場合、または前記基地局からＦＤモード遷移関連メッセージを受信する場合、前記ＦＤＲ準備モードは終了できる（Ｓ２１６０）。
【０２８６】
以後、前記ＦＤＲメンバー端末は前記ＦＤＲメンバーモードでＦＤＲグループ内の端末に対しては既存のＩＤＩ測定周期より短い周期を有してＩＤＩを測定し、ＩＤＩ測定結果を報告し、ＦＤＲグループの以外の端末に対しては既存のＩＤＩ測定周期より長い周期を有してＩＤＩを測定し、ＩＤＩ測定結果を報告する。
【０２８７】
図２２は、本明細書で提案するＦＤＲシナリオでＦＤＲ準備モードでのＦＤＲ動作の更に他の一例を示す図である。
【０２８８】
図２２に示すように、ＦＤＲ能力を有する端末（または、ノード）は、網初期接続過程でＦＤＲ関連能力情報を基地局またはネットワークと交換する（Ｓ２２１０）。
【０２８９】
前記ＦＤＲ能力を有する端末は、ＦＤＲホストと仮定する。
【０２９０】
以後、ＦＤＲホスト端末は基地局にＦＤＲグルーピング設定を要求するためのＦＤグルーピング要求メッセージを転送する（Ｓ２２２０）。前記ＦＤグルーピング要求メッセージは、基地局により転送されることもできる。ここで、前記ＦＤＲホスト端末はＦＤグルーピング要求メッセージを転送する時点でＲＲＣ関連タイマーを駆動することができる。
【０２９１】
前記ＦＤグルーピング要求メッセージは、前記ＦＤＲホスト端末がＦＤモードで通信することを希望する周辺端末情報を含むことができる。
【０２９２】
即ち、前記ＦＤグルーピング要求メッセージは候補ＦＤＲ通信端末リスト情報を含むことができる。前記候補ＦＤＲ通信端末リスト情報は、端末ＩＤまたは端末シグネチャー情報で構成できる。
【０２９３】
以後、前記ＦＤＲホスト端末は前記基地局から前記ＦＤＲグルーピング要求メッセージに対する応答としてＦＤグルーピング応答メッセージを受信する（Ｓ２２３０）。
【０２９４】
前記基地局は、前記受信されたＦＤグルーピング要求メッセージに基づいて端末の効率良いＦＤＲ動作を提供するためにＦＤＲグルーピングを遂行する（Ｓ２２４０）。
【０２９５】
前記ＦＤグルーピング応答メッセージを受信した場合、前記ＦＤＲホスト端末はＦＤグルーピングタイマーを駆動する（Ｓ２２５０）。
【０２９６】
そして、前記ＦＤＲホスト端末は前記ＦＤグルーピングタイマーが満了する前まで前記基地局からＦＤグループ情報の受信を待つ。
【０２９７】
仮に、前記ＦＤグルーピングタイマーが満了する前まで前記ＦＤグループ情報を受信できなかった場合、前記ＦＤＲホスト端末は前記基地局にＦＤグルーピング要求メッセージを再要求する。
【０２９８】
以後、前記ＦＤＲホスト端末は前記基地局からＦＤグループ情報を受信し（Ｓ２２６０）、前記基地局に前記ＦＤグループ情報に対する応答としてＦＤグループ確認メッセージを転送する（Ｓ２２７０）。
【０２９９】
前記ＦＤグループ情報は、ＦＤＲグループになる端末を示す端末ＩＤリスト、端末または端末グループを示すシグネチャー情報、または周波数情報などを含むことができる。
【０３００】
以後、前記ＦＤＲホスト端末はＦＤモードに切り換えて、基地局または他端末と同一な資源を用いて送信及び受信を同時に遂行する（Ｓ２２８０）。
【０３０１】
図２３は、本明細書で提案するＦＤＲ動作方法の更に他の一例を示す流れ図である。
【０３０２】
即ち、図２３はインフラストラクチャネットワークのＦＤＲシナリオで基地局がＦＤＲホストとしてＦＤＲ動作を遂行する方法を示す。
【０３０３】
ここで、ＦＤＲホストは基地局であり、ＦＤＲメンバーは端末１である。
【０３０４】
図２３の場合、基地局と端末はＦＤＲ関連能力情報を初期接続手続の以後（端末と基地局との間のＲＲＣ接続確立過程が完了した後）、端末能力折衝手続を通じて交換する。
【０３０５】
図２３を参照すると、端末は基地局とＲＲＣ接続確立手続を遂行する（Ｓ２３１０）。前記ＲＲＣ接続確立手続は端末接続確立（UE Connection establishment）手続と表現できる。ＲＲＣ接続確立手続の具体的な説明は、前述した図７を参照する。
【０３０６】
以後、前記端末と前記基地局は端末能力折衝手続を通じてＦＤＲ関連能力情報を互いに交換する（Ｓ２３２０）。即ち、前記端末は自身のＦＤＲ関連能力情報を含む端末能力要求（UE capability Enquiry）メッセージを前記基地局に転送する。
【０３０７】
以後、前記基地局は自身のＦＤＲ関連能力情報を含む端末能力情報（UE capability information）を前記端末に転送する。
【０３０８】
前記ステップＳ２３２０を通じて、前記端末と前記基地局は相手方のＦＤＲ関連能力有無を確認することによって、ＦＤＲ動作遂行を期待することができる。
【０３０９】
前記ステップＳ２３２０の以後、前記端末は非ＦＤＲモード状態であって、ＦＤモードへの切換を待つことができる。
【０３１０】
以後、前記基地局は前記端末にＩＤＩ測定を指示するためのＩＤＩ測定設定情報を転送する（Ｓ２３３０）。前記端末は、前記ＩＤＩ測定設定情報を受信する場合、ＦＤＲ準備モードに切り換える（Ｓ２３４０）。即ち、前記端末は前記ＦＤＲ準備モードに切り換えて（または、進入して）、ＩＤＩ測定及びＩＤＩ測定結果を報告する手続を遂行するようになる。
【０３１１】
したがって、前記端末は前記受信されたＩＤＩ測定設定情報に基づいて周辺端末とのＩＤＩを測定し（Ｓ２３５０）、ＩＤＩ測定結果を前記基地局に報告する（Ｓ２３６０）。
【０３１２】
以後、前記基地局は前記端末から受信されるＩＤＩ測定結果報告に基づいてＦＤＲグルーピングを遂行する（Ｓ２３７０）。
【０３１３】
以後、前記基地局がＦＤＲグルーピングを完了した場合、該当グループに含まれる端末にＦＤＲグループに含まれることを知らせるためのＦＤＲモード遷移命令を転送する（Ｓ２３８０）。ここで、前記ＦＤＲモード遷移命令メッセージはＦＤＲグルーピングと関連した情報を含むことができる。
【０３１４】
即ち、前記ＦＤＲモード遷移命令を受信した端末はＦＤＲメンバーモードに切り換える。前記ＦＤＲメンバーモードにある端末はＦＤグループ内の端末に対しては既存のＩＤＩ測定周期より短い周期でＩＤＩを測定し、ＦＤグループ外の端末に対しては既存のＩＤＩ測定周期より長い周期でＩＤＩを測定して該当測定結果を前記基地局に報告する。
【０３１５】
図２４は、本明細書で提案するＦＤＲ動作方法の更に他の一例を示す流れ図である。
【０３１６】
図２４はインフラストラクチャネットワークとＤ２Ｄネットワークとが混在されたＦＤＲシステムで端末がＦＤＲホストとして動作する場合を示す。
【０３１７】
図２４で、端末１はＦＤＲホストであり、基地局及び端末２はＦＤＲメンバーである。
【０３１８】
図２４の場合、端末と基地局はＦＤＲ関連能力情報を初期接続手続の以後である端末能力折衝手続で交換し、端末間ＦＤＲ関連能力情報の交換はＤ２Ｄ発見／通信手続中に遂行される。
【０３１９】
図２４を参照すると、端末１と基地局はＲＲＣ接続確立手続を遂行した以後（Ｓ２４１０）、ＵＥ能力折衝手続を通じて互いのＦＤＲ関連能力情報を交換する（Ｓ２４２０）。
【０３２０】
また、前記基地局は端末２とＦＤＲ関連能力情報を交換する（Ｓ２４３０）。同様に、前記ステップＳ２４３０はＲＲＣ接続確立手続中に遂行されるか、またはＵＥ能力折衝手続中に遂行できる。
【０３２１】
そして、端末１と端末２は互いのＦＤＲ関連能力情報の交換をＤ２Ｄ発見手続またはＤ２Ｄ通信手続中に遂行することができる（Ｓ２４４０）。
【０３２２】
以後、ＦＤＲホストに該当する端末１は前記基地局とＦＤグループ要求メッセージ及びＦＤグループ応答メッセージを互いに交換する（Ｓ２４５０）。
【０３２３】
ここで、前記端末１は前記ステップＳ２４５０を通じてＦＤＲ準備モードに進入する。また、前記端末１は前記基地局から前記ＦＤグループ応答メッセージを受信する時点にＦＤグルーピングタイマーを駆動する（Ｓ２４６０）。前記ＦＤグルーピングタイマーは、前記ＦＤＲ準備モードの間駆動されるように設定できる。
【０３２４】
即ち、前記基地局からＦＤグループ情報を受信するか、または前記基地局にＦＤグループ確認メッセージを転送するまで前記ＦＤグルーピングタイマーが駆動されるように設定できる。
【０３２５】
以後、前記基地局はＩＤＩ測定結果に基づいてＦＤＲグルーピングを遂行する。即ち、前記基地局は前記端末２にＩＤＩ測定設定情報を転送する。前記端末２は、前記受信されたＩＤＩ測定設定情報に基づいて周辺の端末とのＩＤＩを測定し、ＩＤＩ測定結果を前記基地局に報告する（Ｓ２４７０）。
【０３２６】
前記端末２は、前記ＩＤＩ測定設定情報を受信する場合、ＦＤＲ準備モードに進入するようになる。
【０３２７】
前記基地局は、前記受信されたＩＤＩ測定結果報告に基づいてＦＤＲグループを形成し、前記端末１に前記形成されたＦＤＲグループと関連した情報を含むＦＤグループ情報を転送する（Ｓ２４８０）。
【０３２８】
以後、前記端末１は前記ＦＤグループ情報に対する応答としてＦＤグループ確認メッセージを前記基地局に転送する（Ｓ２４９０）。
【０３２９】
ステップＳ２４９０の以後、前記端末１はＦＤモード、即ちＦＤＲ活性化モードに進入し、前記端末２は前記基地局からＦＤモード遷移命令メッセージを受信する場合、ＦＤモード、即ちＦＤＲメンバーモードに進入する。
【０３３０】
以後、前記端末１は前記基地局及び前記端末２と同一な資源を用いて送信及び受信を同時に遂行する。
【０３３１】
図２５は、本明細書で提案する基地局及び端末の内部ブロック図の一例を示す図である。
【０３３２】
図２５に示すように、基地局２５１０及び端末２５２０は、通信部（送受信部、ＲＦユニット）２５１３、２５２３、プロセッサ２５１１、２５２１、及びメモリ２５１２、２５２２を含む。
【０３３３】
その他にも、前記基地局及び端末は入力部及び出力部をさらに含むことができる。
【０３３４】
前記通信部２５１３、２５２３、プロセッサ２５１１、２５２１、入力部、出力部、及びメモリ２５１２、２５２２は、本明細書で提案する方法を遂行するために機能的に接続されている。
【０３３５】
通信部（送受信部またはＲＦユニット）２５１３、２５２３は、ＰＨＹプロトコル（Physical Layer Protocol）から作られた情報を受信すれば、受信した情報をＲＦスペクトル（Radio-Frequency Spectrum）に移し、フィルタリング（Filtering）、増幅（Amplification）などを遂行してアンテナに送信する。また、通信部はアンテナで受信されるＲＦ信号（Radio Frequency Signal）をＰＨＹプロトコルで処理可能な帯域に移し、フィルタリングを遂行する機能をする。
【０３３６】
そして、通信部はこのような送信と受信機能を切り換えるためのスイッチ（Switch）機能も含むことができる。
【０３３７】
プロセッサ２５１１、２５２１は、本明細書で提案された機能、過程、及び／又は方法を実装する。無線インターフェースプロトコルの階層はプロセッサにより実現できる。
【０３３８】
前記プロセッサは、制御部、コントローラー、制御ユニット、コンピュータなどとして表現されることもできる。
【０３３９】
メモリ２５１２、２５２２はプロセッサと接続されて、ＦＤＲシステムでＦＤＲ動作遂行のためのプロトコルやパラメータを格納する。
【０３４０】
プロセッサ２５１１、２５２１はＡＳＩＣ（application-specific integrated circuit）、他のチップセット、論理回路、及び／又はデータ処理装置を含むことができる。メモリはＲＯＭ（read-only memory）、ＲＡＭ（random access memory）、フラッシュメモリ、メモリカード、格納媒体、及び／又は他の格納装置を含むことができる。通信部は無線信号を処理するためのベースバンド回路を含むことができる。実施形態がソフトウェアで実装される時、前述した技法は前述した機能を遂行するモジュール（過程、機能など）で実装できる。
【０３４１】
モジュールはメモリに格納され、プロセッサにより実行できる。メモリはプロセッサの内部または外部にあることができ、よく知られた多様な手段によりプロセッサと接続できる。
【０３４２】
出力部（ディスプレイ部または表示部）はプロセッサにより制御され、キー入力部で発生するキー入力信号及びプロセッサからの各種の情報信号と一緒に、前記プロセッサで出力される情報を出力する。
【０３４３】
延いては、説明の便宜のために各図面を分けて説明したが、各図面に説明されている実施形態を併合して新たな実施形態を実現するように設計することも可能である。そして、当業者の必要によって、以前に説明された実施形態を実行するためのプログラムが記録されているコンピュータにより読取可能な記録媒体を設計することも本発明の権利範囲に属する。
【０３４４】
本明細書に従うＦＤＲシステムにおいて、ＦＤＲ動作遂行方法は前記したように説明された実施形態の構成と方法が限定されるように適用できるものでなく、前記実施形態は多様な変形がなされるように各実施形態の全部または一部が選択的に組み合わせられて構成されることもできる。
【０３４５】
一方、本明細書のＦＤＲシステムにおけるＦＤＲ動作遂行方法は、ネットワークデバイスに備えられたプロセッサが読み取ることができる記録媒体にプロセッサが読み取ることができるコードとして実装することが可能である。プロセッサが読み取ることができる記録媒体はプロセッサにより読取できるデータが格納される全ての種類の記録装置を含む。プロセッサが読み取ることができる記録媒体の例には、ＲＯＭ、ＲＡＭ、ＣＤ−ＲＯＭ、磁気テープ、フロッピーディスク、光データ格納装置などがあり、また、インターネットを通じての転送などのようなキャリアウェーブの形態に実装されることも含む。また、プロセッサが読み取ることができる記録媒体は、ネットワークにより接続されたコンピュータシステムに分散されて、分散方式によりプロセッサが読み取ることができるコードが格納及び実行できる。
【０３４６】
また、以上では本明細書の好ましい実施形態に対して図示及び説明したが、本明細書は前述した特定の実施形態に限定されず、請求範囲で請求する本発明の要旨を逸脱することなく当該発明が属する技術分野で通常の知識を有する者により多様な変形実施が可能であり、このような変形実施は本発明の技術的思想や展望から個別的に理解されてはならない。
【０３４７】
そして、当該明細書では物品発明と方法発明が全て説明されており、必要によって両発明の説明は補充的に適用できる。
【産業上の利用可能性】
【０３４８】
本明細書は、全二重通信（Full Duplex Radio：ＦＤＲ）をサポートする無線通信システムでＦＤＲ動作を用いることにある。
【図１】
0006495335.tif 000005
【図２（ａ）】
0006495335.tif 000006
【図２（ｂ）】
0006495335.tif 000007
【図３】
0006495335.tif 000008
【図４】
0006495335.tif 000009
【図５】
0006495335.tif 000010
【図６】
0006495335.tif 000011
【図７】
0006495335.tif 000012
【図８】
0006495335.tif 000013
【図９】
0006495335.tif 000014
【図１０】
0006495335.tif 000015
【図１１】
0006495335.tif 000016
【図１２】
0006495335.tif 000017
【図１３】
0006495335.tif 000018
【図１４】
0006495335.tif 000019
【図１５】
0006495335.tif 000020
【図１６】
0006495335.tif 000021
【図１７】
0006495335.tif 000022
【図１８】
0006495335.tif 000023
【図１９】
0006495335.tif 000024
【図２０】
0006495335.tif 000025
【図２１】
0006495335.tif 000026
【図２２】
0006495335.tif 000027
【図２３】
0006495335.tif 000028
【図２４】
0006495335.tif 000029
【図２５】
0006495335.tif 000030